(57)【要約】【課題】  内燃機関の各潤滑部へのオイル不足を抑制可能な制御弁装置を提供すること。【解決手段】  内燃機関の停止状態から少なくとも主通路全体にオイルが流れるまでの間は、主通路５３における分岐通路５４の分岐部530より下流（供給通路53b）の流量が、流量可変範囲における流量大側に制御される。【選択図】      図１
2011132815.tif 000002
【特許請求の範囲】
【請求項１】
内燃機関によって駆動されるオイルポンプから吐出されるオイルを内燃機関の各潤滑部に供給する主通路と、該主通路から分岐する分岐通路と、該分岐通路の油圧によって作動すると共に、前記分岐通路の油圧が所定以上となるまでバルブタイミングを保持するロック機構を有する油圧式バルブタイミング制御装置とを備えた油圧システムにおいて、前記主通路における前記分岐通路の分岐部より下流の流量を調整する制御弁装置であって、
内燃機関の停止状態から内燃機関が始動され、前記主通路のオイルが所定圧以上となるまでは、前記主通路における前記分岐部より下流の流量が、流量可変範囲における流量大側に制御され、前記主通路のオイルが所定圧以上になると、前記主通路における前記分岐部より下流の流量が、流量可変範囲における流量小側に制御される
ことを特徴とする制御弁装置。
【請求項２】
内燃機関の各潤滑部にオイルを供給する主通路と、該主通路から分岐して油圧アクチュエータにオイルを供給する分岐通路とを備えた油圧システムにおいて、前記主通路における前記分岐通路の分岐部より下流の流量を調整する制御弁装置であって、
内燃機関の停止状態から内燃機関の始動後の所定時間は、前記主通路における前記分岐部より下流の流量が、流量可変範囲における流量大側に制御され、内燃機関の始動後の所定時間を超えると、前記主通路における前記分岐部より下流の流量が、流量可変範囲における流量小側に制御される
ことを特徴とする制御弁装置。
【請求項３】
内燃機関の各潤滑部にオイルを供給する主通路と、該主通路から分岐して油圧アクチュエータにオイルを供給する分岐通路とを備えた油圧システムにおいて、前記主通路における前記分岐通路の分岐部より下流の流量を調整する制御弁装置であって、
内燃機関の停止状態から少なくとも前記主通路全体にオイルが流れるまでの間は、前記主通路における前記分岐部より下流の流量が、流量可変範囲における流量大側に制御され、前記主通路全体にオイルが流れた後は、前記主通路における前記分岐部より下流の流量が、流量可変範囲における流量小側に制御される
ことを特徴とする制御弁装置。
【発明の詳細な説明】
【技術分野】
【０００１】
本発明は、オイルの流れを制御する制御弁装置に関する。
【背景技術】
【０００２】
従来、内燃機関の各潤滑部にオイルを供給する主通路と、主通路から分岐して油圧アクチュエータにオイルを供給する分岐通路とを備えた油圧システムにおいて、分岐通路の分岐部より下流の主通路における流量を調整する制御弁装置が知られている。例えば、特許文献１に記載の装置は、内燃機関の回転数が小さく、主通路へ供給される流量が限られているときには、分岐通路の分岐部より下流の主通路における流量が少なくなるように制御することで、分岐通路へ優先的にオイルを供給し、油圧アクチュエータの応答性を向上している。
【先行技術文献】
【特許文献】
【０００３】
【特許文献１】特開昭５７−１７３５１３号公報
【発明の概要】
【発明が解決しようとする課題】
【０００４】
しかし、特許文献１に記載の装置では、内燃機関の各潤滑部に供給されるオイルが不足するおそれがあるという問題があった。本発明の目的とするところは、内燃機関の各潤滑部へのオイル不足を抑制可能な制御弁装置を提供することにある。
【課題を解決するための手段】
【０００５】
上記目的を達成するため、本発明の制御弁装置は、好ましくは内燃機関の停止状態から少なくとも主通路全体にオイルが流れるまでの間は、主通路における分岐通路の分岐部より下流の流量が、流量可変範囲における流量大側に制御される。
【発明の効果】
【０００６】
よって、内燃機関の各潤滑部に供給されるオイルが不足することを抑制することが可能である。
【図面の簡単な説明】
【０００７】
【図１】実施例１及び実施例２の油圧システムの概略構成（ＶＴＣの部分断面）を示す。
【図２】実施例１のＶＴＣの正面図である（最遅角位置）。
【図３】実施例１のＶＴＣの正面図である（最進角位置）。
【図４】実施例１の制御弁装置１の部分断面を示す（流量大側）。
【図５】実施例１の制御弁装置１の部分断面を示す（流量小側）。
【図６】実施例３の制御弁装置１の部分断面を示す（流量大側）。
【図７】実施例４の制御弁装置１の部分断面を示す（流量大側）。
【図８】実施例５の制御弁装置１の部分断面を示す（流量小側）。
【図９】実施例６の制御弁装置１の部分断面を示す（流量小側）。
【発明を実施するための形態】
【０００８】
以下、本発明の制御弁装置を実現する形態を、図面に基づき説明する。
【実施例１】
【０００９】
［実施例１の構成］
実施例１の制御弁装置１は、自動車の内燃機関（以下、エンジンという。）の油圧システムに適用される。
図１は、油圧システムの概略構成を示す。油圧システムは、エンジンのバルブ開閉タイミングを可変制御するバルブタイミング制御装置（以下、ＶＴＣという。）と、エンジンの各潤滑部と、該各潤滑部及びＶＴＣへ圧油を給排する油給排機構５とから構成されている。図１において、吸気側のＶＴＣの回転軸Ｏを通る部分断面を示す。
【００１０】
ＶＴＣは、供給されるオイルの圧力（作動油圧）を用いてクランクシャフトに対するカムシャフト６５の回転位相を連続的に変化させる油圧駆動タイプの位相変換装置である。ＶＴＣは、タイミングチェーンを介してクランクシャフトにより回転駆動され、かつカムシャフト６５に対して相対回転可能に設けられたスプロケット９１と、スプロケット９１とカムシャフト６５との間に配置され、スプロケット９１（クランクシャフト）とカムシャフト６５の相対回転位置（位相）を変更する位相変更機構とを有している。ＶＴＣは、その位相変更機構が油圧給排機構５によってオイル（作動油）の供給を受け、又は位相変更機構から作動油が排出されることで作動する、油圧アクチュエータである。
位相変更機構は、ハウジング部材であるハウジングＨＳＧと、ハウジングＨＳＧの内部に収容されたベーン部材６とを有している。すなわち、ＶＴＣは、いわゆるベーンタイプであり、ベーン６１〜６４に作用する作動油圧の変化により位相を変更する。ベーン６１〜６４により画成される複数の作動油室（進角室Ａ１〜Ａ４及び遅角室Ｒ１〜Ｒ４）へオイルが給排されると、これに応じてベーンに作用する作動油圧が変化して、ハウジングＨＳＧに対してベーン部材６が所定角度だけ回転する。この状態で両者間の回転力伝達が行われることにより、クランクシャフトの回転に対するカムシャフト６５の回転の位相が変更される。
【００１１】
油給排機構５は、位相変更機構への作動油の給排を調整して、ＶＴＣを作動させる。すなわち、進角室Ａ１〜Ａ４又は遅角室Ｒ１〜Ｒ４へ作動油を選択的に供給し、又はこれらから作動油を排出することによって、油室容積を変更し、ベーン部材６をハウジングＨＳＧに対して所定角度だけ正逆回転させる。油圧給排機構５による作動油の給排は、エンジンコントロールユニット（以下、コントローラＣＵという。）内に設けられた制御手段により制御される。
油圧給排機構５は、油圧供給源としてのオイルポンプＰと、油通路と、各種の弁とを有している。
オイルポンプＰ（以下、ポンプＰという。）は、エンジンのクランクシャフトによって回転駆動され、エンジンオイル（以下、オイルという。）を吐出する。ポンプＰは、例えば一方向に回転する可変容量ベーンポンプを用いることができる。
油通路は、吸入通路５２と、エンジンの各潤滑部への供給通路５３と、ＶＴＣへの供給通路５４と、ＶＴＣからの排出通路５７とを有している。
各種の弁は、制御弁装置１と、リリーフ弁５８と、流路切換弁５９とを有している。
吸入通路５２は、エンジンブロックＥＢ内のオイルパンＯ／ＰとポンプＰの吸入口とを接続している。供給通路５３は、ポンプＰの吐出口とエンジンの潤滑部とを接続している。
ポンプＰは、その回転作動により、オイルパンＯ／Ｐから吸入通路５２を介してオイルを吸入し、供給通路５３へ高圧のオイルを吐出（供給）する。すなわち、ポンプＰは、オイルパンＯ／Ｐ内のオイルを供給通路５３へ圧送する。
以下、オイルの流れに沿って、オイルを供給するポンプＰの側を上流といい、これに対し、オイルが供給される側を下流という。
【００１２】
供給通路５３は、ポンプＰから吐出されるオイルを導通してエンジンの各潤滑部へ供給する主通路である。
供給通路５３には、ポンプＰから吐出されたオイル内の不純物を除去するためのオイルフィルタＯ／Ｆが設けられている。
オイルフィルタＯ／ＦとポンプＰとの間の供給通路５３には、バイパス通路５５の一端が接続されている。バイパス通路５５にはリリーフ弁５８が設けられている。バイパス通路５５の他端は吸入通路５２に接続されている。リリーフ弁５８は、ポンプＰから供給通路５３へ吐出されるオイルの圧力が所定の設定値以上になると自動的に開弁し、供給通路５３からオイルパンＯ／Ｐへオイルを逃がすことで、供給通路５３内の圧力を設定値以下に保つ。
供給通路５３におけるオイルフィルタＯ／Ｆの下流側の分岐部530からは、ＶＴＣへの供給通路５４が分岐している。言い換えると、ポンプＰからの供給通路５３は、エンジンの潤滑部への供給通路と、ＶＴＣへの供給通路５４とに分岐している。
【００１３】
供給通路５３において、分岐部530よりも下流には、制御弁装置１が設けられている。以下、制御弁装置１よりも上流側における供給通路５３を供給通路53aと表記し、制御弁装置１よりも下流側における供給通路５３を供給通路53bと表記する。
上流の供給通路53aは、ポンプＰの吐出口に連通しており、吐出されたオイルを下流側へ導入する際の導入部である。
下流の供給通路53bは、供給通路53aに接続されるとともにエンジン内のメインギャラリに接続され、供給通路53aのオイルをエンジンの各潤滑部へ供給する潤滑通路である。
制御弁装置１は、潤滑部への供給通路５３における分岐部530よりも下流の流量、言い換えると、供給通路53bの流量を調整する。
供給通路５４は、供給通路53aから分岐して、供給通路53aのオイルをＶＴＣへ供給する分岐通路である。
【００１４】
ＶＴＣへの供給通路５４の下流には、流路切換弁５９が接続されている。流路切換弁５９には、ＶＴＣへオイルを給排する２系統の通路、すなわち各遅角室Ｒ１〜Ｒ４に対してオイル（ＶＴＣの作動油）を給排する遅角通路５０、及び各進角室Ａ１〜Ａ４に対してオイルを給排する進角通路５１が接続されている。また、流路切換弁５９には、排出（ドレン）通路５７が接続されており、排出通路５７の下流はオイルパンＯ／Ｐに連通している。
流路切換弁５９は、いわゆる直動式の電磁切換弁（４ポート３位置の方向制御弁）であり、供給通路５４と遅角通路５０又は進角通路５１との連通状態、及び、排出通路５７と遅角通路５０又は進角通路５１との連通状態を、切換え制御する。
流路切換弁５９は、シリンダヘッドに固定されたバルブボディと、バルブボディに固定されたソレノイドＳＯＬと、バルブボディの内部に摺動自在に設けられたスプール（弁体）とを有している。バルブボディには、供給通路５４と連通する供給ポート590、遅角通路５０と連通する第１ポート591、進角通路５１と連通する第２ポート592、及び排出通路５７と連通する排出ポート593が形成されている。
ソレノイドＳＯＬは、電磁コイルへの通電によってスプールを押圧移動させる。電磁コイルは、ハーネスを介してコントローラＣＵに接続されている。スプールが移動するのに応じて、第１ポート591や第２ポート592が開閉される。
ソレノイドＳＯＬの非通電状態で、スプールは、リターンスプリングＲＳのばね力によって、供給ポート590（供給通路５４）と第１ポート591（遅角通路５０）とを連通し、かつ第２ポート592（進角通路５１）と排出ポート593（排出通路５７）とを連通する位置に付勢されている。一方、ソレノイドＳＯＬが通電された状態で、スプールは、コントローラＣＵからの制御電流によって、リターンスプリングＲＳのばね力に抗して、供給ポート590（供給通路５４）と第２ポート592（進角通路５１）とを連通し、かつ第１ポート591（遅角通路５０）と排出ポート593（排出通路５７）とを連通する位置、または所定の中間位置に移動制御されるようになっている。
【００１５】
コントローラＣＵは電子制御ユニットであり、エンジン回転数を検出するクランク角センサや吸入空気量を検出するエアフローメータ、スロットルバルブ開度センサ、エンジンの水温を検出する水温センサ等の各種センサ類からの信号を入力して、現在のエンジン運転状態を検出する。
また、コントローラＣＵは、検出されたエンジン運転状態に応じて流路切換弁５９のソレノイドＳＯＬにパルス制御電流を出力し、流路５０,５１,５４,５７の切換え制御を行うことで、進角室Ａ１〜Ａ４又は遅角室Ｒ１〜Ｒ４へオイルを選択的に給排し、ＶＴＣの作動油圧を制御する。
また、コントローラＣＵは、検出されたエンジン運転状態に応じて制御弁装置１のパイロット弁３（ソレノイド３４）に制御電流を出力し、流路５３,５４の切換え（絞り）制御を行うことで、エンジンの各潤滑部又はＶＴＣへ供給するオイルの流量を選択的に制御する。
【００１６】
まず、本実施例１のＶＴＣの構成を、図１〜図３に基づき説明する。図１で吸気側のＶＴＣを示す。
以下、吸気カムシャフト（以下、カムシャフト６５という。）ないしＶＴＣの回転軸方向にＸ軸を設定し、カムシャフト６５に対してＶＴＣが設置されている側を正方向とする。
なお、本発明の制御弁装置１を、吸気側のＶＴＣだけでなく、排気側のＶＴＣへのオイル流量調節に利用してもよい。
また、本発明の制御弁装置１は、ＶＴＣに限らず、エンジン低回転時から作動油圧を必要とする他の油圧アクチュエータを備えた油圧システムに適用しても有効である。例えば、油圧アクチュエータとして、可変バルブリフト装置等の他の可変動弁機構や、ターボチャージャーのタービン軸受となるフローティングベアリングの潤滑機構を備えた油圧システムに適用することとしてもよい。
図２及び図３は、フロントプレート８等を取り外した状態のＶＴＣ（リアプレート９にハウジング本体１０及びベーン部材６を組み付けたもの）をＸ軸正方向側から見た正面図である。図１は、図２のＡ−Ａ視断面に略相当する。図１〜図３で、ベーン部材６に形成された油通路を破線で示す。
【００１７】
カムシャフト６５は、シリンダヘッドの上端部内側に軸受けを介して回転自在に支持されている。カムシャフト６５の外周面には、吸気弁に対応する位置に駆動カム（吸気カム）が設けられている。カムシャフト６５が回転すると吸気カムがバルブリフタないしロッカアーム等を介して吸気弁を開閉作動させる。カムシャフト６５のＸ軸正方向側の端部65aには、１つのカムボルト６６により、ＶＴＣが取り付けられる。
カムボルト６６は六角ボルトであり、頭部660と、外周に雄ねじが形成された軸部661とを有している。
端部65aの内部には、カムボルト６６（軸部661）が挿通される１つのボルト孔650が形成されている。ボルト孔650は、回転軸Ｏ上に、端部65aのＸ軸正方向側の端面653から所定のＸ軸方向深さまで形成されており、Ｘ軸正方向側から順に、カムボルト６６の軸部661よりも若干大径の大径部651と、軸部661と略同径の小径部652とを有している。小径部652の内周には、カムボルト６６の雄ねじに対応する雌ねじが形成されている。
端部65aの外周には、端面653から所定のＸ軸負方向距離をおいた位置に、円板状のフランジ部654が設けられている。
【００１８】
ＶＴＣのユニットは、ハウジングＨＳＧとベーン部材６と油路構成部材５ａとを有している。
ハウジングＨＳＧは、カムシャフト６５の端部65aに配置されている。ハウジングＨＳＧにはスプロケット９１が設けられ、スプロケット９１を介してクランクシャフトからの回転力が伝達される。
ベーン部材６は、カムシャフト６５の端部65aにカムボルト６６によってＸ軸方向から固定され、ハウジングＨＳＧの内部に、ハウジングＨＳＧに対して相対回動自在に収容されている。
油路構成部材５ａは、その内部に遅角通路５０及び進角通路５１の一部が形成された円柱形状のブロック部材である。
【００１９】
ハウジングＨＳＧは、フロントプレート８と、リアプレート９と、ハウジング本体１０とを有している。
ハウジング本体１０は、鉄系金属材料を焼結することで作られた中空円筒状のハウジング部材であり、Ｘ軸方向両端が開口している。
なお、ハウジング本体１０等のハウジング部材を、他の材料によって、また他の加工方法で形成してもよい。また、ハウジング本体の軸方向一端側のみが開口することとしてもよい。すなわち、有底筒状のハウジング本体であってもよい。
ハウジング本体１０の内周には、内側に向かって突出する複数のシュー１１〜１４が、ハウジング本体１０と一体に成形されている。具体的には、回転軸Ｏの周りの方向（以下、周方向という。）で略等間隔位置に、４つの隔壁部である第１〜第４シュー１１〜１４が、ハウジング本体１０の内周面から内径方向（回転軸Ｏに向かう方向）に向かって突設されている。第１、第２、第３、第４シュー１１,１２,１３,１４は、この順番で、図２の時計回り方向に並んでいる。各シュー１１〜１４はＸ軸方向に延びて形成されており、Ｘ軸に対して直角方向での断面は、内径方向に向かって幅が狭くなる略台形状に設けられている。
Ｘ軸方向から見て、各シュー１１〜１４の周方向両側面は、ハウジング本体１０の径方向（回転軸Ｏを通る直線）と略一致した略直線状に形成されている。各シュー１１〜１４の内径側の（回転軸Ｏに対向する）先端面は、後述するロータ６０の外周面に沿って窪んだ円弧状に形成されている。
各シュー１１〜１４の内部には、それぞれ孔110〜140がＸ軸方向に貫通形成されている。孔110〜140は、ボルトｂが挿通するボルト孔である。
各シュー１１〜１４のＸ軸正方向側の端面には、フロントプレート８が固定設置され、各シュー１１〜１４のＸ軸負方向側の端面には、リアプレート９が固定設置される。
第１シュー１１と第２シュー１２の間の隙間は、後述する幅広の第１ベーン６１が収容されるため、その周方向幅が、他のシュー間の隙間よりも若干大きく設けられている。
第２シュー１２の周方向幅は、他のシューよりも若干大きく設けられている。
第１〜第４シュー１１〜１４の先端部分には、その周方向略中央位置にそれぞれシール溝111〜141が設けられている。シール溝111〜141は、Ｘ軸方向から見て略矩形状に形成されており、シュー１１〜１４のＸ軸方向全範囲にわたって延びている。
シール溝111〜141の内部には、略コ字状のシール部材112〜142と、このシール部材112〜142を内径側（回転軸Ｏの側）へ向けて押圧するシールスプリング（板バネ）がそれぞれ嵌合保持されている。シール部材112〜142は後述のロータ６０の（Ｘ軸方向全範囲における）外周面に当接しており、ロータ６０がハウジングＨＳＧに対して回転する際、ロータ６０の外周面に摺接する。
Ｘ軸正方向側から見て、第１シュー１１の時計回り方向側の面113には、その（内径側の）先端部位に、略矩形状の切り欠き部114が、第１シュー１１のＸ軸方向全範囲にわたって設けられている。
【００２０】
フロントプレート８は、ハウジング本体１０のＸ軸正方向側の開口端、言い換えると後述する進角室Ａと遅角室ＲのＸ軸正方向側の端を閉塞・封止するハウジング部材である。
フロントプレート８は、鋼材をプレス加工することによって略円板状に成形されており、その直径は、ハウジング本体１０の直径よりも若干大きく設けられている。
フロントプレート８の内径側の略中央には、孔８０がＸ軸方向に貫通形成されている。孔８０は、（ＶＴＣの組み付け時に）カムボルト６６及び油路構成部材５ａが挿通する挿通孔であり、その直径は油路構成部材５ａよりも大きく設けられている。
フロントプレート８の外径側（回転軸Ｏから離れる方向）には、ハウジング本体１０の各ボルト孔110〜140とＸ軸方向で対向するそれぞれの箇所に、４つのボルト孔がＸ軸方向に貫通形成されている。
【００２１】
リアプレート９は、ハウジング本体１０のＸ軸負方向側の開口端、言い換えると進角室Ａと遅角室ＲのＸ軸負方向側の端を、後述するロータ軸部60bが挿通可能に閉塞・封止するハウジング部材である。
リアプレート９は、鉄系金属材料を焼結することで成形されており、プレート本体９０と第１スプロケット９１と第２スプロケット９２とを有している。
プレート本体９０は、Ｘ軸正方向側の円板状部分と、Ｘ軸負方向側に突出した円筒状部分とを有している。プレート本体９０の内径側の略中央には、回転軸Ｏと略同軸に、孔９３が貫通形成されている。孔９３は、後述するロータ軸部60bが挿通して設置される挿通孔であり、ロータ６０（ベーン部材６）を回転自在に支持する支持孔である。
挿通孔９３の本体部93aは、リアプレート９のＸ軸正方向端面に開口する円筒状部分であり、その直径は、ロータ軸部60bよりも僅かに大きく設けられている。
挿通孔９３のＸ軸負方向端部93bは、リアプレート９のＸ軸負方向端面に開口し、本体部93aよりも大径に設けられた円筒状部分であり、その直径は、カムシャフト６５のフランジ部654よりも大径に設けられている。フランジ部654の一部が、端部93bにＸ軸方向で入り込むように設置されている。
プレート本体９０のＸ軸正方向側（円板状部分）の直径は、ハウジング本体１０よりも若干大きく設けられており、その外周には第１スプロケット９１がプレート本体９０と一体に設けられている。
プレート本体９０には、ハウジング本体１０のボルト孔110〜140とそれぞれＸ軸方向で対向する箇所に、４つのボルト孔がＸ軸方向に貫通して設けられている。これらのボルト孔の内周には雌ねじが形成されている。
フロントプレート８、ハウジング本体１０、及びリアプレート９は、４本のボルトｂによってＸ軸方向から共締めにより一体的に結合される。各ボルトｂは、それぞれＸ軸正方向側からフロントプレート８のボルト孔及びハウジング本体１０のボルト孔110〜140に挿通されて、リアプレート９のボルト孔の雌ねじ部に螺着することで、ハウジング本体１０にフロントプレート８及びリアプレート９を締結固定する。なお、フロントプレート８のボルト孔及びハウジング本体１０のボルト孔110〜140は、ボルトｂの軸の直径よりも若干大きく設けられている。
プレート本体９０のＸ軸負方向側（円筒状部分）の直径は、Ｘ軸正方向側（円板状部分）よりも小さく設けられており、その外周に、第２スプロケット９２がプレート本体９０と一体に設けられている。
第１、第２スプロケット９１，９２は、ともにＸ軸方向に延在する凸部（歯）を周方向略等間隔に複数有する歯車であり、それぞれ別のチェーン（第１、第２チェーン）が巻回される。第１スプロケット９１の直径及び歯数は、第２スプロケット９２よりも大きく設けられている。
第１スプロケット９１は、第１チェーンを介して、クランクシャフトにより図２の時計回り方向に回転駆動され、一体に設けられたリアプレート９（ハウジングＨＳＧ）を同方向に回転駆動する。第２スプロケット９２は、一体に設けられたリアプレート９により図２の時計回り方向に回転駆動され、第２チェーンを介して、排気側のＶＴＣを回転駆動する。
なお、スプロケットは必ずしもリアプレートと一体に設けなくてもよい。また、スプロケットとチェーンに限らず、プーリとベルトにより動力を伝達するようにしてもよい。
また、排気側のＶＴＣのハウジングを回転駆動するために、吸気側のＶＴＣを介してクランクシャフトの回転力を伝達するのではなく、同一のチェーンにより両ＶＴＣのハウジングにクランクシャフトの回転力を伝達し、これらを回転駆動してもよい。
プレート本体９０には、Ｘ軸正方向側から見て、第１シュー１１に時計回り方向で隣接する位置に、有底円筒状の孔900が、プレート本体９０のＸ軸方向所定深さまで設けられている。孔900は、後述のロック孔構成部材が嵌合する嵌合孔である。
【００２２】
ベーン部材６は、第１スプロケット９１（ハウジングＨＳＧ）に対して回転自在な従動回転体であり、カムシャフト６５と一体になって図２の時計回り方向に回転する。ベーン部材６は、作動油圧を受ける４枚の羽根である第１〜第４ベーン６１〜６４と、各ベーン６１〜６４の内径側に設けられ、カムボルト６６によってカムシャフト６５に略同軸に固定される回転軸部であるロータ（ベーンロータ）６０とを有している。
【００２３】
ロータ６０は有底円筒状であり、各ベーン６１〜６４が固定される本体部60aと、本体部60aからＸ軸負方向側に延出する軸部60bとを、略同軸上に有している。
本体部60aの外径は、リアプレート９の挿通孔９３（本体部93a）及びフロントプレート８の大径孔８０よりも若干大きい。軸部60bの直径は、挿通孔９３（本体部93a）よりも僅かに小さい。
ロータ６０には、Ｘ軸正方向側に開口する有底の孔600が、回転軸Ｏ上に、軸部60bのＸ軸負方向所定深さまで形成されている。孔600は、油路構成部材５ａが挿通・設置される油路形成孔であり、孔600の直径は油路構成部材５ａの直径よりも僅かに大きい。孔600の開口部には、テーパ部604が設けられており、孔600の開口部の直径をＸ軸正方向に向かって広げている。
ロータ６０には、Ｘ軸負方向側に開口する有底の孔601が、回転軸Ｏ上に、軸部60bのＸ軸正方向所定深さまで形成されている。孔601は、カムシャフト端部65aが挿通・設置されるカムシャフト挿通孔であり、その直径は端部65aの直径よりも僅かに大きい。孔601のＸ軸方向深さは、カムシャフト６５のフランジ部654のＸ軸正方向端面655から端部65aのＸ軸正方向端面653までの距離よりも若干大きい。
孔600と孔601とに挟まれた隔壁部には、孔602が、回転軸Ｏ上に貫通形成されている。孔602は、カムボルト６６が挿通するボルト孔である。
カムボルト６６の頭部660は孔600内に位置する一方、カムボルト６６の軸部661は孔602及びカムシャフト６５内のボルト孔650に挿通され、その雄ねじがボルト孔650（小径部652）の雌ねじに螺着する。これにより、ロータ６０がカムシャフト６５の端部65aに一体に締付固定される。このときロータ６０のＸ軸負方向側の端面603は、カムシャフト６５のフランジ部654のＸ軸正方向側の端面655に当接している。
【００２４】
ロータ６０は、各シュー１１〜１４の先端部に嵌着されたシール部材112〜142に摺動しつつ、ハウジングＨＳＧに対して回転可能に支持されている。
ロータ６０の外周には、周方向で略等間隔に、第１〜第４ベーン６１〜６４が、外径方向に向かって突出するように放射状に設けられている。図２の時計回り方向で、第１、第２、第３、第４ベーン６１,６２,６３,６４はこの順番で並んで設けられている。
ベーン部材６がハウジングＨＳＧ内に設置された状態で、第１ベーン６１は第１シュー１１と第２シュー１２の間、第２ベーン６２は第２シュー１２と第３シュー１３の間、第３ベーン６３は第３シュー１３と第４シューの間、第４ベーン６４は第４シュー１４と第１シュー１１の間の隙間に、それぞれ配置される。
各ベーン６１〜６４はロータ６０と一体に成形されている。各ベーン６１〜６４のＸ軸方向長さはロータ本体部60aのＸ軸方向長さと略同じである。ベーン部材６がハウジングＨＳＧ内に設置された状態で、各ベーン６１〜６４のＸ軸正方向側の面は、フロントプレート８のＸ軸負方向側の面に対して極僅かな隙間を介して対向している。また、各ベーン６１〜６４のＸ軸負方向側の面は、リアプレート９（プレート本体９ａ）のＸ軸正方向側の面に対して極僅かな隙間を介して対向している。
周方向における第２〜第４ベーン６２〜６４の幅は、互いに略同じである。第２〜第４ベーン６２〜６４のＸ軸に対して直角方向の断面は、略長方形状に設けられている。Ｘ軸方向から見て、各ベーン６１〜６４の内径側の根元部分は、その周方向幅が他の部分よりも小さくなっており、くびれている。
第１ベーン６１の周方向幅は第２〜第４ベーン６２〜６４よりも広く、最大幅となっており、後述するロック機構７を収容可能としている。第１ベーン６１のＸ軸に対して直角方向の断面は略扇形状であり、Ｘ軸方向側から見て、第１ベーン６１の反時計回り方向側の面613と、時計回り方向側の面614は、回転軸Ｏを通る径方向直線と略一致した直線状である。
第１〜第４ベーン６１〜６４の外径側の先端部には、その外周面に、溝611〜641がＸ軸方向に沿ってそれぞれ形成されている。溝611〜641の内部には、略コ字状のシール部材612〜642と、このシール部材612〜642を外径側に向けて押圧するシールスプリング（板バネ）とがそれぞれ嵌合保持されている。シール部材612〜642はハウジング本体１０の（Ｘ軸方向全範囲における）内周面に当接しており、ベーン部材６がハウジングＨＳＧに対して回転する際、上記内周面に摺接する。
第１ベーン６１の内部には、孔７０がＸ軸方向に貫通形成されている。孔７０は、ロック機構７のロックピストン７１を摺動自在に収容する摺動用孔であり、中空円筒状のシリンダであって、小径部701と大径部702からなる。
Ｘ軸正方向側から見て、孔７０は、第１ベーン６１の反時計回り方向側に設けられている。第１ベーン６１の反時計回り方向側の（外径側）先端部は、９０度強の角度範囲にわたり切り欠かれており、孔７０の円筒形状に沿った略円弧状の曲面に形成され、面613に連続している。一方、第１ベーン６１の時計回り方向側の先端部には、孔７０と面614との間のスペースに上記溝611が設けられている。
第１ベーン６１６のＸ軸正方向側の面には、所定のＸ軸方向深さで径方向溝605が設けられている。径方向溝605は、径方向に延びて摺動用孔７０のＸ軸正方向端と孔600のＸ軸正方向端とを接続する矩形状の切欠き溝である。
【００２５】
ベーン部材６は、ハウジングＨＳＧとの間で、作動油が給排される進角室Ａと遅角室Ｒを形成している。すなわち、Ｘ軸方向から見て、隣り合うシューの間で４つの油室が画成されており、これらの油室はそれぞれベーンによって進角室Ａ及び遅角室Ｒに画成されている。進角室Ａ及び遅角室Ｒは、シール部材112等により互いに液密に保たれている。なお、多少の漏れは許容される。言い換えると、ベーン６１等はシュー１１等との間で作動油室（進角室Ａ及び遅角室Ｒ）を形成しており、これらの油室Ａ，ＲにポンプＰから供給される作動油が導入される。
具体的には、フロントプレート８のＸ軸負方向側の面と、リアプレート９のＸ軸正方向側の面と、各ベーン６１〜６４の周方向での両側面と、各シュー１１〜１４の周方向での両側面との間で、４組の油圧作動室、すなわち４つの進角室Ａ１〜Ａ４と４つの遅角室Ｒ１〜Ｒ４が隔成されている。例えば、第１シュー１１の時計回り方向側の面113と第１ベーン６１の反時計回り方向側の面613との間に第１進角室Ａ１が、第１ベーン６１の時計回り方向側の面614と第２シュー１２の反時計回り方向側の面123との間に第１遅角室Ｒ１が、それぞれ隔成されている。
なお、作動油室として、進角室と遅角室のどちらか一方のみを有する構成としてもよい。
また、進角室と遅角室の数は、それぞれ４に限定されない。言い換えると、シューやベーンの数は、それぞれ４に限らず他の数であってもよい。
【００２６】
第１、第２ストッパ部により、ベーン部材６のハウジングＨＳＧに対する相対回転角度が調整される。
Ｘ軸正方向側から見て、ベーン部材６がハウジングＨＳＧに対して反時計回り方向に所定角度以上回転しようとすると、図２に示すように、第１シュー１１の時計回り方向側の面113と第１ベーン６１の反時計回り方向側の面613が面同士で当接する。このとき、他のベーン６２〜６４はそれぞれシューに対して若干の隙間を介して対向しており、互いに接触しない。すなわち、ベーン部材６のハウジングＨＳＧに対する反時計回り方向（遅角方向）の回転は、第１シュー１１と第１ベーン６１とが当接することで規制され、これにより第１ストッパ部が構成されている。
図２の位置からベーン部材６がハウジングＨＳＧに対して時計回り方向に相対回転すると、図３に示すように、第２シュー１２の反時計回り方向側の面123と第１ベーン６１の時計回り方向側の面614が面同士で当接する。このとき、各ベーン６１〜６４はそれぞれシューに対して若干の隙間を介して対向しており、互いに接触しない。すなわち、ベーン部材６のハウジングＨＳＧに対する時計回り方向（進角方向）の回転は、第２シュー１２と第１ベーン６１とが当接することで規制され、これにより第２ストッパ部が構成されている。
なお、ベーン部材６がハウジングＨＳＧに対して相対回転する全角度範囲にわたって、遅角室Ｒないし進角室Ａの容積がゼロになることは回避されており、後述する遅角油路501等ないし進角油路511等の遅角室Ｒないし進角室Ａへの開口は確保されている。例えば、図２において、第１シュー１１の先端の切り欠き部114により形成される空間により第１進角室Ａ１の容積及び進角油路511の開口が確保されており、図３において、第２シュー１２の先端と第１ベーン６１の根元との間で（両曲面の曲率の差により）形成される隙間により第１遅角室Ｒ１の容積及び遅角油路501の開口が確保されている。
【００２７】
油路構成部材５ａとベーン部材６には、遅角通路５０及び進角通路５１の一部が形成されている。
油路構成部材５ａには、軸方向通路50a,51aと径方向通路51bと溝51cとが設けられている。
軸方向通路50a,51aは、油路構成部材５ａの内部にＸ軸方向に延びて形成され、油路構成部材５ａのＸ軸負方向端面に開口している。軸方向通路51aの開口部はボールＢ１が圧入されることで塞がれている。
油路構成部材５ａのＸ軸負方向端面と孔600の内周面との間には、空間50bが形成されている。
溝51cは、油路構成部材５ａのＸ軸方向所定位置の外周面に所定深さまで形成された環状の周方向溝である。
径方向通路51bは、軸方向通路51aのＸ軸負方向側の所定位置から径方向に延びて溝51cの底部に開口している。
軸方向通路50aと空間50bは遅角通路５０の一部を構成する一方、軸方向通路51aと径方向通路51bと溝51cは進角通路５１の一部を構成している。
油路構成部材５ａの外周には３つの周方向溝が設けられており、これらの周方向溝内には、それぞれオイルシールＳ１〜Ｓ３が設置されている。孔600に設置された油路構成部材５ａはベーン部材６に対して回転自在に設けられており、オイルシールＳ１〜Ｓ３の外周面は、孔600の内周面に対して摺接するように設けられている。オイルシールＳ１はオイルシールＳ２のＸ軸正方向側に配置され、オイルシールＳ２はオイルシールＳ３のＸ軸正方向側に配置されている。オイルシールＳ１,Ｓ２は、溝51cをＸ軸方向で挟み込むように配置されており、油路構成部材５ａとベーン部材６との接続部位における進角通路５１の液密性を保つ。オイルシールＳ３は、油路構成部材５ａとベーン部材６との接続部位（空間50b）における遅角通路５０の液密性を保つ。
【００２８】
ロータ６０には、油孔501〜504と油孔511〜514が設けられている。油孔501〜504, 511〜514は、本体部60aの内部に径方向に貫通形成された油通路であり、孔600の内周面と本体部60aの外周面とを連通している。油孔501〜504は遅角通路５０の一部を構成し、油孔511〜514は進角通路５１の一部を構成している。
Ｘ軸正方向側から見て、油孔501〜504は、それぞれ第１〜第４ベーンの根元の時計回り方向側に隣接して設けられている。油孔501〜504のＸ軸方向位置は、本体部60aのＸ軸方向中央より若干Ｘ軸正方向側である。
Ｘ軸正方向側から見て、油孔511〜514は、それぞれ第１〜第４ベーンの根元の反時計回り方向側に隣接して設けられている。油孔511〜514のＸ軸方向位置は、本体部60aのＸ軸負方向端である。
油路構成部材５ａが孔600に挿入され設置された状態で、遅角側の各油孔501〜504は、内径側ではオイルシールＳ３よりもＸ軸負方向側に位置して空間50bに開口する一方、外径側ではそれぞれ遅角室Ｒ１〜Ｒ４に開口する。また、進角側の各油孔511〜514は、内径側では溝51cと対向してオイルシールＳ１,Ｓ２に両側を挟み込まれるように開口し、外径側ではそれぞれ進角室Ａ１〜Ａ４に開口する。
よって、流路切換弁５９からの遅角通路５０は、まず非回転体である油路構成部材５ａの軸方向通路50aに連通してから、空間50bを介して、回転体であるベーン部材６の油孔501〜504に接続し、さらに各遅角室Ｒ１〜Ｒ４に連通する。
また、流路切換弁５９からの進角通路５１は、まず非回転体である油路構成部材５ａの軸方向通路51a及び径方向通路51bと連通してから、溝51cを介して、回転体であるベーン部材６の油孔511〜514に接続し、さらに各進角室Ａ１〜Ａ４に連通する。
【００２９】
ベーン部材６とリアプレート９との間には、リアプレート９（ハウジングＨＳＧ）に対するベーン部材６の自由な回転を拘束し、該拘束を解除可能なロック機構７が設けられている。ＶＴＣは、第１ストッパ部によって回転が規制された最遅角位置にてロック機構７によりロックするように構成されている。
ロック機構７は、ロックピストン７１と、リアプレート９に設けられた係合凹部730と、エンジンの状態に応じてロックピストン７１を進出させて係合凹部730に係合させ、又はロックピストン７１を後退させて上記係合を解除させる係脱機構とから構成されている。
【００３０】
ロックピストン７１は鉄製の係合部材であり、有底円筒のピン状に形成されている。ロックピストン７１は、第１ベーン６１の摺動用孔７０の内部にＸ軸方向に往復動自在に設置され、第１ベーン６１からリアプレート９の側に出没自在に設けられている。
ロックピストン７１は、摺動用孔７０に対して摺動する摺動部710と、摺動用孔７０の内外に出没可能に設けられた先端部である係合部714とからなる。
摺動部710は、小径部711と大径部712からなる。
小径部711は、有底円筒状であり、ｘ軸正方向側に開口部を有している。小径部711の外周面の径は、摺動用孔７０の小径部701の内周面の径よりも若干小さく設けられており、小径部711は、その外周が摺動用孔７０の小径部701の内周に対して摺動自在に設置されている。
小径部711の底部713のＸ軸負方向側に、底部713との間で段差を介して略円錐台形状に、係合部714が設けられている。係合部714は、軸方向断面が略台形であって、傾斜面を有している。具体的には、Ｘ軸負方向側の先端に向かって小径となるテーパ面が設けられている。
大径部712は、ロックピストン７１の基端部、すなわち摺動部710のＸ軸正方向側の端に形成された円環状のフランジ部である。大径部712の外周面の径は、小径部711の径よりも大きく、摺動用孔７０の大径部702の内周面の径よりも僅かに小さく設けられている。大径部712は、摺動用孔７０の大径部702の内部に、その外周が摺動用孔７０の大径部702の内周に対して摺動自在に設置されている。
このように、ロックピストン７１は、小径部701の内周に一部分（小径部711）が、大径部702の内周に他の一部分（大径部712）が、それぞれ摺動自在に設置されており、エンジンの状態に応じて、その先端（係合部714）がベーン部材６に対して回転軸方向（Ｘ軸方向）に出没する。
【００３１】
一方、リアプレート９のＸ軸正方向側の面には、有底の凹部730が形成されている。凹部730は、ハウジングＨＳＧの内部において、リアプレート９のＸ軸正方向側の面に開口する係合凹部であり、ロックピストン７１の係合部714が挿入されて係合可能なロック孔である。
係合凹部730は、鉄系金属材料で成形されたスリーブ７３の内周面により構成されており、リアプレートの嵌合孔900に有底コップ状のスリーブ７３（係合凹部構成部材）が圧入により嵌合されることで形成される。
係合凹部730のＸ軸方向深さは係合部714のＸ軸方向寸法と略同じであり、係合凹部730の径は係合部714の径よりも若干大きめに設けられている。係合凹部730は、スリーブ７３の軸を通る平面で切った断面が略台形であり、Ｘ軸正方向側の開口部に向かって徐々に大径となる。言い換えると、係合凹部730は傾斜面を有しており、Ｘ軸負方向側の底部に向かって小径となるテーパ面が設けられている。Ｘ軸に対する係合凹部730の内周面（傾斜面）の傾きは、Ｘ軸に対する係合部714の外周面（傾斜面）の傾きに略等しい。
ベーン部材６が最遅角側に相対回転して第１ストッパ部により回転が規制されたとき、すなわち進角室Ａ１の容積が最小となったとき、Ｘ軸方向から見て、ロックピストン７１（係合部714）の位置と係合凹部730の位置が重なる。言い換えると、係合凹部730に係合部714が係合するとき、ハウジングＨＳＧとベーン部材６の相対回転角度（位置）が、エンジン始動時に最適な角度（最遅角位置）となるように、係合凹部730の位置が設けられている。
また、このとき、ロータ周方向における係合凹部730の軸心の位置が、係合部714の軸心に対して、図２の反時計回り方向（第１シュー１１の側）に僅かにオフセットするように設けられている。
【００３２】
摺動用孔７０の内部には、ロックピストン７１の背圧室７２が設けられている。背圧室７２は、摺動用孔７０のＸ軸正方向側に、ロックピストン７１により隔成された低圧室である。具体的には、背圧室７２は、フロントプレート８のＸ軸負方向側の面と、摺動用孔７０の内周面と、ロックピストン７１（摺動部710）の内周面とにより隔成されている。
【００３３】
係脱機構は、係合用弾性部材であるコイルスプリング７４と、解除用油路である連通孔７５及び連通溝７６とから構成されている。
コイルスプリング７４は、ロックピストン７１をＸ軸負方向側、すなわちリアプレート９（係合凹部730）の側へ常時付勢する付勢部材である。
背圧室７２には、スプリングリテーナ74aが設置されており、そのＸ軸正方向側の基底部はフロントプレート８に摺接するとともに、そのＸ軸負方向側の突出部はコイルスプリング７４の内周に嵌挿されている。
コイルスプリング７４は、背圧室７２に弾装（押し縮められた状態で設置）されており、そのＸ軸正方向側の端はスプリングリテーナ74aの基底部のＸ軸負方向側の面に当接し、Ｘ軸負方向側の端はロックピストン７１の後端部（底部713）に当接している。すなわち、コイルスプリング７４は、ロックピストン７１のＸ軸正方向側に設けられ、ロックピストン７１をＸ軸負方向側（係合凹部730の側）に付勢する。
また、摺動用孔７０には、ロックピストン７１に作用する油圧力を発生させる受圧室が設けられている。具体的には、摺動用孔７０（大径部702）において、摺動用孔７０の小径部701のＸ軸正方向側の端面と、ロックピストン７１（大径部712）のＸ軸負方向側の端面及び摺動部710（小径部711）の外周面と、摺動用孔７０（大径部702）の内周面との間に、第１受圧室７７が隔成されている。また、係合部714の表面（Ｘ軸負方向側の先端面及び傾斜面）とリアプレート９のＸ軸正方向側の面（係合部714が係合凹部730に嵌り込んだロック状態では、スリーブ７３の内周面と底面）との間に、第２受圧室７８が隔成されている。
そして、第１ベーン６１には、第１、第２受圧室７７,７８に作動油室の油圧を導くための通路が設けられている。第１ベーン６１の内部には、連通孔７５が周方向に形成されており、連通孔７５を介して、遅角室Ｒ１と第１受圧室７７とが接続されて常時連通し、遅角室Ｒ１の油圧が第１受圧室７７に導かれる。第１ベーン６１のＸ軸負方向側の面には、連通溝７６が周方向に形成されており、連通溝７６を介して、進角室Ａ１と摺動用孔７０のＸ軸負方向端とが接続されて常時連通し、進角室Ａ１の油圧が第２受圧室７８（ロック状態では係合凹部730）に導かれる。なお、最遅角位置でも、第１シュー１１の先端の切り欠き部114により形成される空間により、第１進角室Ａ１への連通溝７６の開口が確保されている。
遅角室Ｒ１と進角室Ａ１に選択的に供給されるオイルは、それぞれ連通孔７５と連通溝７６を介して第１受圧室７７と第２受圧室７８に導かれ、ともに、ロックピストン７１をＸ軸正方向側の後退方向へ付勢する油圧力を発生する。
【００３４】
ベーン部材６が最遅角側に相対回転して第１ストッパ部により回転が規制されると、Ｘ軸方向から見て、ロックピストン７１の位置と係合凹部730の位置が重なり、ロックピストン７１がＸ軸負方向へ移動可能となる。このとき、コイルスプリング７４のばね力により、係合部714が第１ベーン６１（摺動用孔７０）から進出して係合凹部730に嵌まり込む。ロックピストン７１が係合凹部730と係合すると、リアプレート９とベーン部材６との相対回転、すなわちハウジングＨＳＧとカムシャフト６５との相対回転が規制（ロック）される。
一方、ロックピストン７１は、連通孔７５を介して遅角室Ｒ１から第１受圧室７７内に供給されるオイルにより、大径部712においてＸ軸正方向側に油圧力を受ける。また、ロックピストン７１は、連通溝７６を介して進角室Ａ１から第２受圧室７８内に供給されるオイルにより、係合部714においてＸ軸正方向側に油圧力を受ける。上記油圧力はいずれも、ロックピストン７１がコイルスプリング７４のばね力に抗してＸ軸正方向側に移動し、係合部714が係合凹部730から退出してリアプレート９の摺動用孔７０の内部に嵌まり込むことをアシストするように作用する。これにより、ロックピストン７１と係合凹部730との係合が解除されるようになっている。
このように、コイルスプリング７４はロック状態維持機構として機能する一方、連通孔７５と連通溝７６は解除用油路として機能する。
背圧室７２は、上記径方向溝605を介してフロントプレート８の大径孔８０と連通しており、これによりＶＴＣ外部の大気圧（低圧空間）に解放されている（図１参照）。言い換えると、径方向溝605は、ベーン部材６のＸ軸正方向側の端面に形成された呼吸用の溝であり、空気抜き孔として機能し、背圧室７２の圧力（ロックピストン７１の背圧）を開放して低圧に維持する。
【００３５】
次に、ＶＴＣの制御構成及び作動を説明する。
カムシャフト６５の回転中、吸気弁側からカムシャフト６５のカムへ伝達される回転反力により、カムシャフト６５（ベーン部材６）には、いわゆる交番トルク（正負のトルク）が作用する。カムとバルブ側部材との接触面における抵抗に起因して、交番トルクは、全体としてみるとカムシャフト６５の回転を妨げる方向（カムシャフト６５を遅角側に回転させる方向）に作用する。
エンジン停止時には、ポンプＰの作動が停止される。よって、進角室Ａ１〜Ａ４と遅角室Ｒ１〜Ｒ４への作動油圧の供給が停止されている。また、コントローラＣＵから流路切換弁５９（ソレノイドＳＯＬ）への通電も遮断されることから、流路切換弁５９は、供給通路５４と遅角通路５０を連通し、かつ進角通路５１と排出通路５７を連通している。
また、前回のエンジン停止直前にカムシャフト６５に対して作用した交番トルクによって、ベーン部材６は、図２に示すように、最遅角側に位置している。また、この最遅角位置（初期位置）で、ロック機構７のロックピストン７１が係合凹部730と係合して、ベーン部材６の相対回転が規制されている。
【００３６】
イグニッションキーのオン操作によりエンジンが始動されると、クランキングを開始するとともに、ポンプＰの作動が開始される。エンジン始動直後はＶＴＣへのオイル供給（作動油圧）が不足しているが、上記のようにロック機構７が予めベーン部材６を始動に最適な初期位置に拘束しているため、円滑なクランキングによって良好なエンジン始動性が得られるとともに、交番トルクによりベーン部材６がバタついてハウジングＨＳＧとの間で衝突すること（異音の発生）を抑制できる。
【００３７】
エンジン始動後、コントローラＣＵからの制御電流が入力されない間は、流路切換弁５９は、供給通路５４と遅角通路５０を連通し、かつ進角通路５１と排出通路５７を連通したままである。このため、ポンプＰから供給通路５４に供給されたオイルは、各遅角室Ｒ１〜Ｒ４に供給される。なお、このとき、各遅角室Ｒ１〜Ｒ４内に滞留していた空気は、油圧によって押圧されて、各部材（ハウジング本体１０等のハウジング部材やベーン部材６）の間でシールされていない隙間や、焼結部材であるハウジング部材内の隙間から外部へ排出されるとともに、油圧と一緒にベーン部材６を最遅角側へ押し付ける働きをする。
第１遅角室Ｒ１内の油圧は、ロック機構７の連通孔７５を介して第１受圧室７７に導かれ、ロックピストン７１をＸ軸正方向側へ後退させる油圧力を発生する。第１遅角室Ｒ１内の油圧、すなわち供給通路５４の油圧が所定の設定値Ｐ１以上になると、ロックピストン７１の係合部714が係合凹部730から完全に抜け出し、ロック状態が解除される。すなわち、ベーン部材６の自由な相対回転が許容され、バルブタイミングの任意の変更が可能な状態となる。
ロック状態が解除された後も、ベーン部材６は、各遅角室Ｒ１〜Ｒ４内に供給される比較的低い作動油圧によって、エンジン停止時の最遅角側に位置した状態が維持される。
【００３８】
所定のエンジン運転状態になると、例えばエンジン回転数が中回転域まで上昇すると、コントローラＣＵから流路切換弁５９へ、所定のデューティ比で通電される。すると、流路切換弁５９は、供給通路５４と進角通路５１を連通し、かつ遅角通路５０と排出通路５７を連通する。このため、各遅角室Ｒ１〜Ｒ４内のオイルは排出されてオイルパンＯ／Ｐに戻される一方、ポンプＰから供給通路５４に供給されたオイルは各進角室Ａ１〜Ａ４に供給される。
各進角室Ａ１〜Ａ４の油圧が増大すると、ベーン部材６は、図２の最遅角位置から、ハウジングＨＳＧに対して時計回り方向に回転する。なお、ロック機構７の第１受圧室７７の油圧は低下するものの、今度は第１進角室Ａ１の油圧がロック機構７の第２受圧室７８に導かれ、ロックピストン７１をＸ軸正方向側へ後退させる油圧力を発生する。よって、ロックピストン７１の係合部714が係合凹部730から抜け出した解除状態が維持される。
これにより、クランクシャフトに対するカムシャフト６５の回転位相が進角側へ変更され、吸気弁の開閉タイミングが進角側となる。よって、吸気弁と排気弁がともに開弁する期間であるバルブオーバーラップが大きくなり、燃焼効率の向上が図られる。
エンジン回転数が高回転域まで上昇すると、コントローラＣＵから流路切換弁５９への通電が維持され（デューティ比が増大され）、各進角室Ａ１〜Ａ４に高油圧が継続的に供給される。このため、ベーン部材６は時計回り方向へさらに相対回転して、相対回転位相をさらに進角側に変更させる。最終的に、ベーン部材６は、各進角室Ａ１〜Ａ４の容積が最大となる最進角側の位置（図３）に保持され、これによりバルブオーバーラップが最大となる。
エンジン回転数の低下等によりコントローラＣＵから流路切換弁５９への通電量が制御されると、各進角室Ａ１〜Ａ４の油圧が減少し、相対回転位相が遅角側へ戻されて、バルブオーバーラップが小さくなる。このとき、供給通路５４の油圧はＰ１以上であるため、ロック解除状態は維持されたままである。
【００３９】
次に、制御弁装置１の構成を、図４及び図５に基づき説明する。図４及び図５は、制御弁装置１の中心軸Ｑを通る部分断面を示す。
エンジンブロックＥＢの一側面100と直交する方向にｘ軸を設定し、上記側面100と平行にｙ軸を設定する。
【００４０】
まず、制御弁装置１が配置されるエンジンブロックＥＢ側の油路構成を説明する。
供給通路５３（53a, 53b）,５４は、ドリル加工によって、エンジンブロックＥＢの内部に形成されている。
供給通路53aは、エンジンブロックＥＢの側面100から所定の距離をおいて、略直線状にｙ軸方向に延びて形成されており、そのｙ軸負方向側でポンプＰの吐出口に接続している。
供給通路53aにおけるｙ軸正方向側の分岐部530からは、供給通路５４が分岐している。以下、供給通路５４を分岐通路５４という。分岐通路５４は、略直線状にｘ軸方向に延びて形成されており、そのｘ軸負方向側で流路切換弁５９に接続している。
供給通路53bは、略直線状にｘ軸方向に延びて形成されており、そのｘ軸負方向側でエンジンの各潤滑部に接続している。
供給通路53aのｙ軸正方向端と供給通路53bのｘ軸正方向端とは、エンジンブロックＥＢの内部に形成されたユニット設置部５６において接続している。
ユニット設置部５６は、制御弁装置１のユニット設置用にドリル加工された孔（凹部）であり、ハウジング固定部560と環状溝561とシール設置部562とを有している。
シール設置部562と環状溝561とハウジング固定部560は、エンジンブロックＥＢの側面100から内部に向かって、供給通路53bと略同軸Ｑ上に形成された略円筒状の凹部であり、Ｘ軸負方向側に向かってこの順に配置されている。
各部の直径は、シール設置部562が環状溝561よりも大きく、環状溝561がハウジング固定部560より大きく設けられており、ユニット設置部５６は段差を有する凹部である。
シール設置部562のＸ軸方向寸法は環状溝561よりも小さく、環状溝561のＸ軸方向寸法はハウジング固定部560よりも小さく設けられている。
環状溝561のｙ軸負方向側には、供給通路53aが接続している。環状溝561のＸ軸方向幅は供給通路53aの直径よりも大きく設けられており、供給通路53aのｙ軸正方向端が、環状溝561の内周面に開口している。
ハウジング固定部560のｘ軸負方向側端には、供給通路53bが接続している。ハウジング固定部560の直径は供給通路53bの直径より大きく設けられており、供給通路53bのｘ軸正方向端が、環状溝561のｘ軸負方向端面に開口している。
シール設置部562は、エンジンブロックＥＢの側面100に開口している。
【００４１】
次に、制御弁装置１の各構成部材を説明する。
制御弁装置１は、流路切換部としてのスプール弁２と、制御部としてのパイロット弁３とを、同一のハウジング４（ケーシング）内に有しており、一体のユニット（制御弁ユニット）としてユニット設置部５６に取り付けられている。
制御弁装置１は、電磁力で開閉するパイロット弁３により制御油圧を発生させ、この油圧力によりスプール弁２を開閉駆動する、いわゆるパイロット式の駆動方法を採用している。
スプール弁２は、スプール（弁体）２０を有しており、スプール２０の往復移動により流路を切換え制御する切換弁であって、弁の開閉動作により流路の開閉を行う二方向弁であるとともに、流路の絞り動作により流量の調整を行う流量調節弁としての機能をも有している。
パイロット弁３は、主弁であるスプール弁２を圧力によって操作するために用いる制御弁である。
【００４２】
ハウジング４は、スプール弁２及びパイロット弁３を支持する支持部材であり、ユニット設置部５６に設置される。ハウジング４は、アルミ系金属材料の鋳造、具体的にはダイキャストにより成形されており、スプール弁収容部４ａと、フランジ部４ｂと、パイロット弁収容部４ｃとを一体に有している。
スプール弁収容部４ａは、ｘ軸正方向側に背圧部４１を有し、ｘ軸負方向側に通路部４２を有している。スプール弁収容部４ａの内周側には、スプール２０の案内部としての摺動孔４０が中空円筒状に設けられている。
【００４３】
背圧部４１は、略円筒形状を有しており、そのｘ軸正方向端は開口し、そのｘ軸負方向端は通路部４２に連続している。背圧部４１のｘ軸正方向側の内周面には雌ネジ410が形成され、ｘ軸負方向側の内周面は摺動孔４０の大径部である大径孔40aを構成している。大径孔40aのｘ軸正方向端の内周には、雌ネジ410のｘ軸負方向側に隣接して、環状の溝411が設けられている（図５参照）。
背圧部４１のｘ軸負方向端には、通路部４２と隣接する部位に、その外周面から外径方向（ｙ軸方向）にフランジ部４ｂが延びて設けられている。
フランジ部４ｂにはボルト孔４３がｘ軸方向に貫通形成されている。ボルト孔４３にはｘ軸正方向側からボルトが挿通され、このボルトがエンジンブロックＥＢの側面100に螺着することで、ハウジング４（制御弁装置１）がエンジンブロックＥＢに締結固定される。エンジンブロックＥＢのシール設置部562にはシール部材としてのＯリングＳ４が設置されている。ハウジング４がボルト締結されると、ハウジング４のフランジ部４ｂのｘ軸負方向端面とシール設置部562のｘ軸正方向端面との間でＯリングＳ４が圧縮された状態となり、これによりユニット設置部５６内の液密性を確保している。
背圧部４１のｙ軸正方向側には、ｘ軸負方向側の端部に、孔412が設けられている。孔412は、背圧部４１の内外周を斜めに貫通して略直線状に形成され、フランジ部４ｂのｘ軸正方向側で背圧部４１の外周面（エンジンブロックＥＢの外部）に開口する一方、背圧部４１のｘ軸負方向端であってフランジ部４ｂと略重なるｘ軸方向位置で、摺動孔４０（大径孔40a）の内周面に開口している。
孔412は、背圧部４１（スプール弁収容部４ａ）の内外を連通することで、スプール２０が軸方向移動する際の体積変動を容易にする呼吸孔である。
雌ネジ410には、ネジプラグ413が螺合し、背圧部４１のｘ軸正方向端の開口を塞いでいる。すなわち、スプール２０の背面側を、ネジプラグ413にて液密に塞いでいる。
【００４４】
通路部４２は、背圧部４１よりも小径の有底円筒形状の筐体（中空部）に、複数の連通孔421等が形成されている。
通路部４２の内周面は摺動孔４０の小径部である小径孔40bを構成しており、小径孔40bの直径は、大径孔40aの直径よりも小さく設けられている。小径孔40bのｘ軸正方向端は、フランジ部４ｂのｘ軸負方向側の面と略同じｘ軸方向位置にあり、大径孔40aとの間で段差を形成している。通路部４２の外周面の直径は、大径孔40aの直径と略等しく設けられており、通路部４２の外周面は、なだらかな曲線を介してフランジ部４ｂのｘ軸負方向側の面に連続している。
通路部４２は、そのｘ軸負方向側の部分が、ハウジング固定部560に挿通し、嵌合しており、これにより摺動孔４０（大径孔40a及び小径孔40b）が環状溝561等と略同軸Ｑ上に位置決めされるとともに、通路部４２の外周側における環状溝561とハウジング固定部560との連通が抑制される。
通路部４２には、ｘ軸正方向側の基端部に、複数（４つ）の孔421〜424が、通路部４２の周方向略等間隔に設けられている。孔421〜424は、通路部４２の内外周を径方向に貫通して形成された貫通孔であり、通路部４２の外周面に開口する一方、摺動孔４０（小径孔40b）の内周面に開口する連通孔である。なお、貫通孔421〜424の数は４に限られず、その形状も特に限定されない。
貫通孔421〜424の直径は互いに略等しく、環状溝561のｘ軸方向寸法よりも小さく設けられている。貫通孔421〜424のｘ軸正方向端の位置は、環状溝561のｘ軸正方向側の端と略一致し、かつ供給通路53aのｘ軸正方向側の端よりも若干ｘ軸正方向側に位置している。貫通孔421〜424のx軸負方向端は、環状溝561内であって、供給通路53aのｘ軸負方向側の端よりも若干ｘ軸正方向側に位置している。言い換えると、ユニット設置部５６に設置されたハウジング４の開口部（第１連通部）は、環状溝561の内周側に位置するように設けられており、第１連通部の外周側には、環状溝561が設けられている。
貫通孔421〜424のうち、１つの貫通孔421がy軸負方向側に開口しており、供給通路53aとｙ軸方向で対向している。
また、通路部４２のｘ軸負方向側の先端部（底部425）に、１つの孔420が設けられている。孔420は、通路部４２の内外をｘ軸方向に貫通形成された貫通孔であり、軸Ｑ上に位置している。孔420は、底部425のｘ軸負方向側で通路部４２の外部（ハウジング固定部560の内周側）に開口し、供給通路53bとｘ軸方向で対向する一方、底部425のｘ軸正方向側で通路部４２の内部、すなわち摺動孔４０（小径孔40b）の内周側に開口する連通孔である。
貫通孔420の直径は、摺動孔４０（小径孔40b）の直径の半分強であって、供給通路53bの直径よりも小さく設けられている。
【００４５】
パイロット弁収容部４ｃは、スプール弁収容部４ａの背圧部４１の外周面に、ｙ軸負方向側に延びる略円筒形状に設けられている。
パイロット弁収容部４ｃは、パイロット弁３の設置用の孔（凹部）として、ｙ軸負方向側でハウジング４の外部に開口する大径孔440と、大径孔440のｙ軸正方向側に隣接して、大径孔440と略同軸に、大径孔440より小径に設けられた小径孔441とを有している。
また、パイロット弁収容部４ｃには、スプール弁収容部４ａの背圧部４１に制御用のオイルを供給し、又は背圧部４１からオイルを排出するための油通路として、軸方向通路442と径方向通路443が設けられている。
軸方向通路442は、ｙ軸方向に延びて形成され、ｙ軸正方向側では背圧部４１の摺動孔４０（大径孔40aのｘ軸正方向端の環状溝411）に開口する一方、ｙ軸負方向側ではパイロット弁３の後述の中継通路303と接続している。
径方向通路443は、ｘ軸方向に延びて形成され、ｘ軸負方向側ではフランジ部４ｂのｘ軸負方向端面に開口してユニット設置部５６（シール設置部562や環状溝561）と連通する一方、ｘ軸正方向側では小径孔441のｙ軸正方向端に開口し、パイロット弁３の後述の軸方向通路301及び中継通路302,303を介して、上記軸方向通路442と接続している。
【００４６】
パイロット弁３は、その内部に形成された油通路３０と、ボール３１と、スプリング３２と、アーマチュア３３と、ソレノイド３４とを有している。
油通路３０は、軸方向通路301と中継通路302〜305を有している。
軸方向通路301はｙ軸方向に延びて設けられ、ｙ軸正方向側においてハウジング４の径方向通路443と連通するとともに、ｙ軸負方向側において中継通路302と連通している。軸方向通路301のｙ軸負方向側には、ボール３１が設置されている。ボール３１は、軸方向通路301内に設置されたスプリング３２によって、中継通路302の開口を閉塞するように、ｙ軸負方向側に常時付勢されている。
中継通路302はｙ軸方向に延び、ｙ軸負方向側において中継通路303と連通している。中継通路303は、ｙ軸に対して直角方向に広がり、ｙ軸正方向側においてハウジング４の軸方向通路442と連通するとともに、ｙ軸負方向側において中継通路304と連通している。
中継通路304はｙ軸方向に延び、ｙ軸負方向側において中継通路305と連通している。
中継通路305は図外の排出通路を介してオイルパンＯ／Ｐに接続され、大気に解放されている。
アーマチュア３３は、そのニードル状の先端部分が中継通路302〜304をｙ軸方向に貫通し、ｙ軸正方向端でボール３１に当接するように設置されている。アーマチュア３３のｙ軸負方向側（ニードル状部分の根元）には、シール面が形成されている。このシール面は、中継通路304のｙ軸負方向側の開口部に形成されたシール面に当接することで中継通路304と中継通路305との連通を閉塞可能に設けられている。
ソレノイド３４は、コネクタ３５を介して通電されることにより、アーマチュア３３をｙ軸正方向へ付勢する。
【００４７】
スプール２０は、摺動孔４０に収容され、摺動孔４０内を摺動自在に設けられたピストンである。スプール２０は、鉄系金属材料の鍛造、具体的には冷間鍛造によって略円筒形状に成形されおり、隔壁部２３を境として、そのｘ軸負方向側に背圧部２１を有し、ｘ軸正方向側に通路部２２を有している。
背圧部２１は、有底円筒形状を有しており、そのｘ軸正方向端は開口し、ｘ軸負方向端を隔壁部２３により閉塞されている。言い換えると、背圧部２１の内周側には、隔壁部２３を底部として、略円筒状の中空部分である凹部210が設けられている。
背圧部２１のｘ軸正方向端（開口部の周囲）には、フランジ部211が形成されている。フランジ部211は、スプール２０の外周面から外径方向に広がるリング状の鍔部であり、スプール２０における他の部分よりも大径に設けられている。フランジ部211のｘ軸方向寸法は、ハウジング４の環状溝411よりも大きく設けられている。
フランジ部211のｘ軸正方向端面には、１つの溝214が所定のｘ軸方向深さまで設けられている。溝214はスプール２０の径方向に延びる直線状に形成された径方向溝であり、フランジ部211の外周側と内周側（凹部210）を連通している。
背圧部２１のｘ軸方向長さ、すなわち背圧部２１のｘ軸正方向端から隔壁部２３のｘ軸正方向端面までの間の距離は、ハウジング４の摺動孔４０（大径孔40a）のx軸方向長さと略等しい大きさに設けられている。
フランジ部211の外周面の直径は、摺動孔４０（大径孔40a）の直径よりも僅かに小さく設けられている。
【００４８】
通路部２２は、有底円筒形状を有しており、そのｘ軸負方向端は開口し、ｘ軸正方向端を隔壁部２３により閉塞されている。言い換えると、通路部２２の内周側には、隔壁部２３を底部として、略円筒状の中空部分である凹部220が設けられている。
通路部２２の外周には、第１溝221と第２溝222が設けられている。
第１溝221は、通路部２２のｘ軸方向略中央位置であってややｘ軸負方向寄りに、通路部２２の外周全範囲にわたって一定のｘ軸方向幅で設けられた環状溝である。
第２溝222は、ｘ軸方向で第１溝221と隔壁部２３とに挟まれた位置に、通路部２２の外周全範囲にわたって、第１溝221の１／３程度の一定のｘ軸方向幅で設けられた環状溝である。
第１溝221と第２溝222のスプール径方向深さは、略同様に設けられている。
第１溝221と第２溝222が設けられている範囲、すなわち第１溝221のｘ軸正方向端と第２溝222のｘ軸負方向端との間の距離は、ハウジング４（通路部４２）の貫通孔421〜424の直径よりも僅かに小さく設けられている。
通路部２２には、第１溝221が設けられた部位において、複数（４つ）の孔223〜226が、通路部２２の周方向略等間隔に設けられている。孔223〜226は、通路部２２の内外周を径方向に貫通して形成された貫通孔であり、第１溝221の底部に開口する一方、凹部220の内周に開口する連通孔である。
なお、貫通孔223〜226の数は４に限られず、その形状も特に限定されない。
貫通孔223〜226の直径は互いに略等しく、第１溝221のｘ軸方向寸法よりも僅かに小さく、かつハウジング４の貫通孔421〜424の半分強の大きさに設けられている。
通路部２２には、第２溝222が設けられた部位において、１つの孔227が設けられている。孔227は、通路部２２の内外を径方向に貫通して形成された貫通孔であり、第２溝222の底部に開口する一方、凹部220の内周に開口する連通孔である。これによりオリフィスが構成されている。貫通孔227は、通路部２２の外周に開口するとともに、通路部２２の内周に開口する絞り部である。
なお、貫通孔227の数は１に限られず、複数個設けることでその流路面積を調整することとしてもよい。
貫通孔227の直径は、第２溝222のｘ軸方向寸法よりも小さく、貫通孔223〜226の直径の１／４程度の大きさに設けられている。
通路部２２のｘ軸方向長さ、すなわち通路部２２のｘ軸負方向端から隔壁部２３のｘ軸負方向端面までの距離は、ハウジング４の通路部４２のｘ軸方向長さよりも小さく、環状溝561のｘ軸方向長さと略等しく設けられている。
通路部２２の外周面の直径は、摺動孔４０（小径孔40b）の直径よりも僅かに小さく設けられている。
【００４９】
（スプール弁の設置状態）
スプール２０のフランジ部211は、その外周面が摺動孔４０（大径孔40a）の内周面に対してｘ軸方向に摺動自在に、ハウジング４の背圧部４１に設置される。
スプール２０のフランジ部211を除く背圧部２１及び通路部２２は、その外周面が摺動孔４０（小径孔40b）の内周面に対してｘ軸方向に摺動自在に、ハウジング４に設置される。
摺動孔４０（小径孔40b）の内周面と、通路部２２のｘ軸負方向側の各面との間で、第１圧力室が形成されている。一方、摺動孔４０（大径孔40a）の内周面と、ネジプラグ413のｘ軸負方向側の面と、背圧部２１のｘ軸正方向側の各面との間で、第２圧力室（スプール２０の背圧室）が形成されている。
ｘ軸負方向側から見た通路部２２の各面は、スプール２０に対してｘ軸負方向側から作用する（第１圧力室の）油圧の受圧面（第１受圧面）を構成する。
ｘ軸正方向側から見た背圧部２１の各面は、スプール２０に対してｘ軸正方向側から作用する（第２圧力室の）油圧の受圧面（第２受圧面）を構成する。
第１受圧面の面積Ｄ１は、第２受圧面の面積Ｄ２よりも、（ｘ軸正方向側から見た）フランジ部211の面積分だけ小さく設けられている（Ｄ１＜Ｄ２）。
【００５０】
通路部２２の外周面と摺動孔４０（小径孔40b）の内周面との間には、第１溝221と第２溝222において、それぞれ環状の空間α１,α２が形成される。第１溝221の底部に開口する貫通孔223〜226は上記環状空間α１に連通し、第２溝222の底部に開口する貫通孔227は上記環状空間α２に連通している。
【００５１】
摺動孔４０内において、軸Ｑの周りのスプール２０の回転は規制されていない。
一方、スプール２０のｘ軸方向移動は、ｘ軸正方向側では、スプール２０（フランジ部211）のｘ軸正方向端がネジプラグ413のｘ軸負方向端面に当接することで規制される以下、図４に示すこの規制位置を位置Ａという。すなわち、スプール２０（フランジ部211）のｘ軸正方向端は、ネジプラグ413のｘ軸負方向端面とともに、スプール２０の第１ストッパ部を構成している。
スプール２０のｘ軸負方向側の移動は、スプール２０（通路部２２）のｘ軸負方向端がハウジング４（通路部４２の底部425）のｘ軸正方向端面に当接することで規制される以下、図５に示すこの規制位置を位置Ｂという。すなわち、スプール２０（通路部２２）のｘ軸負方向端は、ハウジング４（通路部４２の底部425）のｘ軸正方向端面とともに、スプール２０の第２ストッパ部を構成している。
【００５２】
位置Ａにおいて、スプール２０の背圧部２１はハウジング４の背圧部４１に位置する。通路部２２は、ハウジング４の通路部４２において環状溝561と略一致する位置にある。径方向から見て、第１溝221と第２溝222のｘ軸方向全範囲はハウジング４の貫通孔421〜424と重なっている。第２溝222のｘ軸正方向端は貫通孔421〜424のｘ軸正方向端と略一致し、第１溝221のｘ軸負方向端は貫通孔421〜424のｘ軸負方向端よりも僅かにｘ軸正方向側に位置する。
位置Ａにおいて、背圧部２１の外周面（及びフランジ部211のｘ軸負方向端面）と、摺動孔４０（大径孔40a）の内周面との間に形成される空間βの体積は最大である。
【００５３】
位置Ｂにおいて、背圧部２１の大部分及び通路部２２はハウジング４の通路部４２に位置する。径方向から見て、第１溝221のｘ軸方向全範囲は、ハウジング４の通路部４２において貫通孔421〜424が形成されていない部位と重なっている。一方、第２溝222のｘ軸方向全範囲は貫通孔421〜424と重なっている。第２溝222のｘ軸負方向端は貫通孔421〜424のｘ軸負方向端と略一致する。
位置Ｂにおいて、空間βの体積は最小である。フランジ部211のｘ軸負方向端は、貫通孔412の摺動孔４０（大径孔40a）の内周面における開口部のｘ軸負方向端よりも僅かにｘ軸正方向側に位置する。
なお、スプール２０のｘ軸方向移動により空間βの体積が拡大・縮小するが、この体積変動分の空気は、孔412を介して吸入・排出されるため、スプール２０の作動が円滑化されている。
【００５４】
（スプール弁の開閉）
ハウジング４において貫通孔421〜424は周方向に複数（４つ）設けられており、その外周を取り囲むように環状溝561が設けられている。よって、供給通路53aからのオイルを、複数の貫通孔421〜424を介して、スプール２０の側へ多量に効率よく供給することが可能である。
なお、環状溝561を省略し、ハウジング４（通路部４２）において、供給通路53aのｙ軸正方向端の開口と対向する部位の貫通孔421を１つだけ設けることとしてもよい。
スプール２０の貫通孔223〜226とハウジング４の貫通孔421〜424は、スプール２０のｘ軸方向移動により、互いに連通し、また互いの連通が遮断されることが可能に設けられている。
径方向から見て、スプール２０の第１溝221が貫通孔421〜424と重なる位置にあるとき、環状空間α１が貫通孔421〜424と連通するため、貫通孔223〜226と貫通孔421〜424が連通状態となる。すなわち、スプール２０（通路部２２）がハウジング４（通路部４２）の内部において軸Ｑの周りで回転し、周方向で貫通孔223〜226と貫通孔421〜424が重ならない場合でも、第１溝221（環状空間α１）により、両者の連通が遮断されないように設けられている。よって、スプール２０の回転に関らず両者を連通させることができるだけでなく、貫通孔223〜226を複数設けてそのトータルの開口面積を増大させ、貫通孔421〜424からのオイルを、複数の貫通孔223〜226を介して、スプール２０の内周側へ多量に効率よく供給することが可能である。
なお、第１溝221を省略し、その代わりに、少なくとも位置Ａにおいて、スプール２０が軸Ｑの周りでどの回転位置にあっても貫通孔223〜226と貫通孔421〜424が連通するように、貫通孔223〜226ないし貫通孔421〜424の形状や数を調整することとしてもよい。
【００５５】
ここで貫通孔421〜424は環状溝561と常時連通している。このため、第１溝221が貫通孔421〜424と重なる上記位置では、貫通孔223〜226は、環状溝561に開口する供給通路53aと連通することとなる。これにより貫通孔223〜226は供給通路53aとの連通部を構成している。また、貫通孔223〜226が開口する通路部２２の内周側（第２圧力室）は、ハウジング４の貫通孔420を介して供給通路53bと常時連通している。
よって、第１溝221が貫通孔421〜424と連通する位置にあるとき、供給通路53aは、貫通孔223〜226を介して供給通路53bと連通する。
一方、径方向から見て、第１溝221が貫通孔421〜424と重ならない位置にあるとき、環状空間α１が貫通孔421〜424と連通しないため、貫通孔223〜226と貫通孔421〜424が非連通状態となり、供給通路53aと供給通路53bの間で、貫通孔223〜226を介した連通が遮断される。
径方向から見て貫通孔421〜424に開口する第１溝221の面積、言い換えると、貫通孔421〜424が環状空間α１と連通する際の流路面積は、位置Ａで最大となる。また、この流路面積は、スプール２０が位置Ａからｘ軸負方向側に変位する（環状空間α１が貫通孔421〜424に対してｘ軸負方向側に移動する）につれて徐々に小さくなり、途中の位置Ａ１からは第１溝221への貫通孔223〜226の開口面積の合計（環状空間α１が貫通孔223〜226と連通する際の流路面積）を下回り、位置Ｂに達する手前の位置Ｂ１でゼロとなり、その後、位置Ｂに達するまでゼロのままである。
よって、少なくとも貫通孔223〜226を介した流路についてみれば、位置Ａから位置Ｂ１までは、供給通路53aと供給通路53bは連通状態であり、位置Ｂ１から位置Ｂまでは、両通路53a,53bの連通が遮断される。位置Ａ１から位置Ｂ１までは、貫通孔223〜226を介した流路面積が徐々に小さくなる。
このように、スプール２０の軸方向変位により、貫通孔223〜226を介した供給通路53a ,53bの連通と遮断が切換え可能に設けられている。
【００５６】
一方、スプール２０の貫通孔227（オリフィス）は、スプール２０のｘ軸方向位置に関らず、ハウジング４の貫通孔421〜424と常時連通するように設けられている。
すなわち、径方向から見て、貫通孔421〜424は、第２溝222と常時重なる位置にあって環状空間α２と常に連通するため、貫通孔421〜424と貫通孔227は常時、連通状態となる。ここで、スプール２０が軸Ｑの周りで回転し、周方向で貫通孔227と貫通孔421〜424が重ならなくても、第２溝222（環状空間α２）により、両者の連通が塞がれないように設けられている。
よって、貫通孔227は、スプール２０の軸方向変位に関らず、環状溝561（供給通路53a）に開口することとなり、供給通路53aは、貫通孔227を介して供給通路53bと常に連通する。
なお、スプール２０のｘ軸方向変位に応じて、貫通孔421〜424が環状空間α２と連通する際の流路面積は変化するが、この流路面積は常に、第２溝222への貫通孔227の開口面積（環状空間α２が貫通孔227と連通する際の流路面積）を上回る。言い換えると、供給通路53aから貫通孔227を経由して供給通路53bへ向かう油通路の流路面積は、スプール２０のｘ軸方向位置に関らず、貫通孔227において最小となり、オイルの流れは貫通孔227で絞られる。
【００５７】
したがって、スプール２０が位置Ａから位置Ｂへ移動するに応じて、供給通路53aから環状溝561、貫通孔421〜424，及び貫通孔223〜227を経由して通路部２２の内周側（第２圧力室）に向かう油通路の流路面積は、位置Ａで最大（第１溝221への貫通孔223〜226の開口面積と第２溝222への貫通孔227の開口面積の合計）となり、位置Ａから位置Ａ１までは不変であり、位置Ａ１から位置Ｂ１まで徐々に絞られて小さくなり、位置Ｂで最大限絞られて最小（第２溝222への貫通孔227の開口面積）となる。
上記流路面積が絞られると、下流側すなわち供給通路53bへ流れるオイルの量（流量）が減少する。供給通路53aに供給される流量が一定であれば、上記減少した流量の分だけ、分岐通路５４に供給される流量が増大する。
位置Ａでは、供給通路53aからスプール弁２を経由して供給通路53bへ供給される流量は最大である。
位置Ｂでは、供給通路53aからスプール弁２を経由して供給通路53bへ供給されるオイルは貫通孔227（オリフィス）を経由したもののみであり（スプール弁２を経由する油通路が最大限絞られ）、供給通路53bの流量が最小となる。すなわち、ポンプＰから供給通路53aへ供給されるオイルは、貫通孔227を通って供給通路53bへ供給される分を除き、全て分岐通路５４へ供給されることになる。
【００５８】
（制御構成）
制御弁装置１は、電磁弁であるパイロット弁３へコントローラＣＵから電気信号が出力されることによって、位置Ａと位置Ｂの切換えを選択的に制御可能に設けられている。
すなわち、パイロット弁３への信号入力により、スプール２０が移動し、供給通路53aと供給通路53b間の油通路を開いた状態（位置Ａ）と、この油通路を絞った状態（位置Ｂ）とが切換えられる。このように、供給通路53bへのオイル供給量の調整は、パイロット弁３への信号によって制御される。
【００５９】
スプール弁２において、第１圧力室内の油圧は、スプール２０のｘ軸負方向側の各面（第１受圧面）に作用し、スプール２０をｘ軸正方向側に付勢する第１油圧力Ｆ１を発生する。一方、第２圧力室内の油圧は、スプール２０のｘ軸正方向側の各面（第２受圧面）に作用し、スプール２０をｘ軸負方向側に付勢する第２油圧力Ｆ２を発生する。
そして、第１受圧面のほうが第２受圧面よりも小さいため、第１受圧面と第２受圧面に同様の油圧が作用すると、第１油圧力Ｆ１のほうが、第２油圧力Ｆ２よりも小さくなり、スプール２０には、両油圧力の差（Ｆ２−Ｆ１）に相当する大きさの力がｘ軸負方向側に向かって作用する。
第１圧力室内の油圧は、供給通路53b内の油圧と略等しい。少なくとも位置Ａでは、分岐部530より下流の供給通路53a内の油圧と供給通路53b内の油圧は略等しいとみなせるため、第１圧力室の油圧は、分岐部530より下流の供給通路53a内の油圧とも略等しい。
コントローラＣＵからパイロット弁３へ信号Ａが出力されると、パイロット弁３は、第２圧力室をオイルパンＯ／Ｐ（大気圧）と連通させ、第１受圧面のみに供給通路53bの油圧が作用している状態とする。この油圧力Ｆ１によりスプール２０をｘ軸正方向側（油通路を開く方向）に付勢し、位置Ａを実現する。
一方、コントローラＣＵからパイロット弁３へ信号Ｂが出力されると、分岐部530より下流の供給通路53a（ポンプＰの吐出圧）と第２圧力室とを連通させる。すなわち、第１受圧面および第２受圧面の両方に、供給通路53b（供給通路53a）の略等しい油圧が作用している状態とする。これによりスプール２０をｘ軸負方向側（油通路を絞る方向）に付勢し、位置Ｂを実現する。
【００６０】
具体的には、パイロット弁３へ信号Ａ（例えばオフ信号）が出力されると、パイロット弁３のソレノイド３４が非通電状態とされる。スプリング３２によってｙ軸負方向側に付勢されたボール３１が軸方向通路301と中継通路302との連通を遮断するとともに、アーマチュア３３のシール面が中継通路304の開口部のシール面から離間して中継通路304と中継通路305を連通させる。
よって、分岐部530より下流の供給通路53a内のオイルは、第２圧力室へ供給されない。また、第２圧力室内のオイルは、軸方向通路442、中継通路303〜305、及び排出通路を介してオイルパンＯ／Ｐへ排出される。よって、第２圧力室内の圧力は略大気圧まで低下するため、これによる第２油圧力Ｆ２よりも、供給通路53bの油圧による第１油圧力Ｆ１のほうが大きくなり、スプール２０はｘ軸正方向側に付勢され、位置Ａが実現される。
パイロット弁３へ信号Ｂ（例えばオン信号）が出力されると、ソレノイド３４が通電状態とされる。電磁力によりアーマチュア３３がｙ軸正方向側に移動し、スプリング３２の付勢力に抗してボール３１を中継通路302の開口部から離間することで、軸方向通路301と中継通路302を連通させる。また、アーマチュア３３のシール面が中継通路304のシール面へ押し付けられることで、中継通路304と中継通路305との連通を遮断する。
よって、分岐部530より下流の供給通路53a内のオイルは、径方向通路443、軸方向通路301、中継通路303、及び軸方向通路442を介して第２圧力室へ供給される。また、第２圧力室内のオイルは、中継通路304等を介してオイルパンＯ／Ｐへ排出されない。よって、第２圧力室内の圧力は分岐部530より下流の供給通路53a内の油圧と略等しくなるため、これによる第２油圧力Ｆ２が、供給通路53b内の油圧による第１油圧力Ｆ１よりも大きくなり、スプール２０はｘ軸負方向側に付勢され、位置Ｂが実現される。
本実施例１では、パイロット弁３への信号Ａ，Ｂは、オン・オフ信号（スプール弁の開閉信号）であり、スプール２０をｘ軸方向２位置（位置Ａ，Ｂ）に選択的に移動可能としている。
【００６１】
コントローラＣＵは、エンジンの停止状態からエンジンが始動された後の所定時間Ｔ内は、パイロット弁３へ信号Ａを出力する。これにより、スプール弁２において位置Ａを実現し、供給通路５３における分岐部530より下流側、具体的には供給通路53bの流量が、流量可変範囲における流量大側、具体的には最大流量となるように制御する。
所定時間Ｔを超えると、パイロット弁３へ信号Ｂを出力する。これにより、スプール弁２において位置Ｂを実現し、供給通路53bの流量が、流量可変範囲における流量小側に、具体的には最小流量となるように制御する。
ＶＴＣの始動後、すなわち流路制御弁５９へ制御電流を出力してベーン部材６の相対回転（バルブタイミング）を制御し始めてからは、コントローラＣＵは、エンジンの運転状態（エンジン負荷の大小やバルブタイミングの制御状況）に応じて信号Ａと信号Ｂを切換える。これにより、供給通路53a,53b間の油通路の絞り状態を調整し、供給通路53b及び分岐通路５４の流量を制御する。
エンジンを停止する際には、コントローラＣＵは、エンジン回転（ポンプＰの作動）が停止する前に、パイロット弁３へ信号Ａを出力し、スプール２０の位置が位置Ａ（流量大側）となるように制御する。
【００６２】
所定時間Ｔは、エンジンの始動後、エンジンの各潤滑部と連通する供給通路53bのオイルが所定圧Ｐ０以上となったかどうかを推定するためのパラメータである。所定圧Ｐ０は、供給通路53bの全体にオイルが流れ、各潤滑部へオイルが十分に、すなわち各潤滑部が最低限円滑に作動可能である程度に供給されたことの目安となる油圧であり、エンジン毎に、適当な範囲内で、予め定まっている。
所定時間Ｔとしては、事前に実験をして、エンジンの始動後、（例えばアイドル回転数で）供給通路53bの油圧が実際に所定圧Ｐ０まで立ち上がるまでの時間を計測した値を用いることができるし、各種の設計値を用いて計算することとしてもよい。
上記推定をより正確なものとするために、実際の油温に応じて所定時間Ｔを補正することが好ましい。すなわち、温度が上昇するとオイルの粘度（粘性）が低下する。低温時は粘性が高いため各潤滑部へのオイル供給が遅く、供給通路53bの油圧の立ち上がりも遅いが、高温時は粘性が低いため各潤滑部へのオイル供給が速く、供給通路53bの油圧の立ち上がりも早い。
本実施例１では、このような特性を考慮して、所定時間Ｔを油温に基づき補正する。具体的には、油温が低い場合には、高温である場合に比べて、所定時間Ｔを長く設定する。油温は、エンジンに備え付けの油温センサにより検出でき、または水温センサからの情報に基づいて推測することもできる。このように所定時間Ｔを最適化することにより、油圧が所定圧Ｐ０以上となったかどうか、すなわちエンジンの停止状態から少なくとも各潤滑部へオイルが十分に供給されたかどうかを、より正確に推測することができる。
【００６３】
［実施例１の作用］
（エンジン始動時における潤滑性向上）
まず、従来例との対比において、本実施例１の制御弁装置１によるエンジン始動時の潤滑性向上作用を説明する。
従来、オイルポンプとメインギャラリとを連通してエンジンの各潤滑部にオイルを供給する主通路と、主通路から分岐して油圧式バルブタイミング制御装置等の油圧アクチュエータにオイルを供給する分岐通路とを備えた油圧システムが知られている。
上記構成では、油圧アクチュエータの駆動源となる油圧を分岐通路から確保しているため、油圧アクチュエータの応答性を向上したいといった要求があった場合には、オイルポンプの容量を大きくする必要があった。
そこで、例えば特許文献１に記載のシステムでは、所定以上の油圧が作用すると自動的に開弁する制御弁を、主通路における分岐通路の分岐部よりも下流側に設け、この制御弁により、上記分岐部よりも下流側の主通路の流量を調整している。具体的には、オイルポンプの吐出圧が低圧であるときは制御弁が閉弁することで油圧アクチュエータへ優先的にオイルを供給し、吐出圧が高圧となったときには制御弁が開弁することでメインギャラリへの吐出量が多くなるようにしている。
しかし、上記構成では、オイルポンプの吐出圧が低圧であるエンジンの始動時に、分岐通路の分岐部より下流の主通路にオイルがほとんど供給されないため、潤滑が必要なエンジンの摺動部や回転部へのオイルの供給が不足するおそれがあった。
すなわち、エンジン始動前、長時間放置された車両（エンジン）では、クランクシャフト、コンロッド、ピストンピン、カムシャフト等の各軸受け等、潤滑が必要な各摺動部や回転部からオイルがオイルパンへ落ちた状態となっており、これらエンジンの各潤滑部にオイルが十分に滞留していない。この状態からエンジンが始動すると、エンジン始動からオイルポンプからの圧油が各潤滑部へ供給されるまでの間、各潤滑部は潤滑不足のまま（最悪は無潤滑のまま）摺動されることとなる。よって、各潤滑部の円滑な作動が損なわれるおそれがある、という問題があった。
本実施例１の制御弁装置１は、エンジンが停止状態から始動された後、所定時間Ｔが経過するまで、すなわち供給通路53bのオイルが所定圧Ｐ０以上となるまでは、供給通路53a,53b間の油通路を開いた状態（流量大側）とする。これにより、ポンプＰから供給通路53aへ圧送されるオイルを、分岐通路５４（ＶＴＣ）よりも供給通路53b（エンジンの潤滑部）の側へ優先的に、各潤滑部が円滑に作動可能になる量だけ供給する。よって、例えばエンジンを長時間放置しておいた状態でも、エンジンの各潤滑部にオイルを迅速に供給可能であり、各潤滑部において潤滑不足のまま摺動される時間を短縮することができる。
特に、上記油通路の開度を最大とし、供給通路53bの流量が最大となるように制御するため、上記作用効果を向上できる。
【００６４】
（ＶＴＣの始動性向上）
一方、ＶＴＣは、分岐通路５４の油圧を用いて作動する。供給通路53a,53b間の油通路をずっと開いたままでは、分岐通路５４（ＶＴＣ）へのオイルの供給が不十分となる。よって、エンジンを始動してから所定時間Ｔの経過後は、上記油通路を絞り、ポンプＰから供給通路53aへ圧送されるオイルを、供給通路53b（エンジンの潤滑部）よりも分岐通路５４（ＶＴＣ）の側へ優先的に供給する。これにより、エンジン始動後におけるＶＴＣの応答性（始動性）を向上することができる。
特に、上記油通路の開度を最小とし、供給通路53bの流量が最小（分岐通路５４の流量が最大）となるように制御することで、上記作用効果を向上できる。
このとき、上記油通路を最大限絞っても、供給通路53bへは、スプール２０に設けた貫通孔227を通過してオイルが供給され、その流量は、エンジン潤滑に必要とされる分だけ十分な量が確保される。
【００６５】
（ＶＴＣの作動安定化）
エンジン始動直後にポンプＰから吐出されるオイルには、空気（気泡）が多く含まれている。この空気を多く含んだオイルがＶＴＣに供給されると、ＶＴＣの作動が不安定になるおそれがある。
第１に、このようなオイルがＶＴＣの作動油として利用されると、オイルの体積が容易に変化するため、このオイルの油圧によってベーン部材６の相対回転を十分に制御することができないおそれがある。例えば、交番トルクによりベーン部材６に正負トルクが作用すると、作動油室内のオイルに多く含まれる空気が圧縮・拡張され、作動油室の容積が容易に変化するため、意図した相対回転位置に制御することが困難となる。以下、これを第１の課題という。
第２に、油圧によって作動するロック機構を備えたＶＴＣを採用した場合、エンジン始動直後の空気を多く含んだオイルの圧力によってロックが誤解除され、エンジン始動時にバルブタイミングの保持ができなくなってしまうおそれがある。特に、ＶＴＣの始動前からロック機構に油圧が供給されるような油路（解除用油路）が設けられている場合、ロックが解除されやすくなってしまう。以下、これを第２の課題という。
【００６６】
［第１の課題について］
例えば、エンジン始動後の早期に、ベーン部材６を進角側へ相対回転させる指令が出力された場合、ポンプＰから吐出されて進角室Ａ１〜Ａ４へ供給されるオイル内には、空気が多く含まれている可能性がある。進角室Ａ１からロック機構７の連通溝７６を介して第２受圧室７８（係合孔730）へ供給される（空気を含む）オイルにより、ロックを解除することは可能である。しかし、空気を多く含んだ上記オイルを用いて、交番トルク等の影響を受けずに、進角室Ａ１〜Ａ４の容積を意図通りに変化ないし維持させることは困難である。例えば、オイル内の空気が圧縮されて進角室Ａ１〜Ａ４の容積が指令通りに増加しないおそれがある。
【００６７】
これに対し、本実施例１の制御弁装置１では、エンジン始動後、所定時間Ｔが経過するまで、すなわち供給通路53bのオイルが所定圧Ｐ０以上となるまでは、供給通路53a,53b間の油通路を開いた状態（流量大側）とすることで、ポンプＰから圧送されるオイルを、分岐通路５４（ＶＴＣ）よりも供給通路53b（エンジンの潤滑部）の側へ優先的に供給する。
よって、エンジン始動時の空気を多く含んだオイルは、まず、エンジンの潤滑部側へ排出される。この潤滑部側には隙間が多く存在し、各潤滑部を流通するオイル内の空気は、これらの隙間を通って排出される。一方、エンジン始動後、所定時間Ｔが経過するまで、すなわち供給通路53bのオイルが所定圧Ｐ０以上となるまでの間には、ポンプＰから吐出されるオイル内の空気は減少する。
よって、所定時間Ｔの経過後に、この空気を多く含まなくなったオイルを、ＶＴＣの作動油室に優先的に供給してこれを制御に用いることで、例えば進角側への指令が早期に出力された場合でも、進角室Ａ１〜Ａ４内の作動油に含まれる空気量を低減し、ベーン部材６の相対回転を意図通り制御することが可能である。したがって、ＶＴＣの作動を安定化することができる。
特に、所定時間Ｔ内は上記油通路の開度を最大とし、供給通路53bの流量が最大となるように制御するため、上記作用効果を向上できる。
なお、空気を多く含んだオイルを用いて制御すると作動が不安定化するという問題は、ベーンタイプのＶＴＣに限らず他の任意のタイプのＶＴＣについて、更にはＶＴＣに限らず他の任意の油圧アクチュエータについても、同様に言えることである。これに対し、本実施例１の制御弁装置１を適用すれば、この問題を解決することが可能である。
【００６８】
［第２の課題について］
まず、本実施例１のＶＴＣを用いて上記第２の課題を説明する。
本実施例１のＶＴＣのロック機構７は、ロック解除用の油路を遅角側（連通孔７５）と進角側（連通溝７６）の２系統有しており、このうち連通孔７５には、ＶＴＣの始動前（流路切換弁５９へ制御電流が出力される前）からロック解除用の油圧が供給される構成となっている。
すなわち、第１ベーン６１には連通孔７５が形成されている。エンジン始動後（ポンプＰが作動を開始して遅角室Ｒ１〜Ｒ４にオイルが供給され始めた後）であってＶＴＣの始動前（ロックが解除されてベーン部材６が相対回転を始める前）に、遅角室Ｒ１内のオイルが連通孔７５を介して第１受圧室７７に供給される。
一方、ロック状態維持機構としてコイルスプリング７４は、そのばね力が、分岐通路５４から遅角室Ｒ１に供給されて遅角室Ｒ１及び第１受圧室７７に充填されるオイルの圧力（≒分岐通路５４の油圧）がＰ１以上となったときに圧縮変形し、ロックピストン７１と係合凹部730との係合が解除されるような大きさに設定されている。なお、コイルスプリング７４のばね力は、エンジン始動時に遅角室Ｒ１内に滞留していた空気が、ポンプＰから遅角室Ｒ１内に圧送されてきたオイルによって圧縮され、第１受圧室７７内で大径部712を押圧したとしても、これによってコイルスプリング７４が大きくは圧縮変形せず、ロックピストン７１と係合凹部730との係合が解除されない程度の大きさに設定されている。
よって、オイルが空気を多く含んでいない場合、ロック機構７に供給されるロック解除用の油圧、すなわち分岐通路５４の油圧が所定圧Ｐ１以上となるまで、ロックは解除されず、バルブタイミングは初期位相に保持されるように設けられている。
仮に、エンジン始動の直後から（例えば供給通路53bのオイルが所定圧Ｐ０以上となる以前に）供給通路53a,53b間の油通路を絞った場合には、分岐通路５４へ供給される流量が増大し、ＶＴＣには、エンジン始動直後の空気を多く含んだオイルが供給されることになる。このとき、遅角室Ｒ１及び第１受圧室７７に充填されるオイルは、空気を多く含んでいる。よって、第１受圧室７７内でこの空気が膨張してロックピストン７１を押圧し、ロックを解除してしまうおそれがある。特に、前回のエンジン停止時から今回のエンジン始動までの時間が短いとき、例えばアイドルストップ後のエンジン再始動時には、オイルパンＯ／Ｐ内からポンプＰにより送出される比較的低温のオイルが、比較的高温となっているＶＴＣの遅角室Ｒ１ないし第１受圧室７７内で暖められるため、オイル内の空気が膨張してロックを誤解除するおそれが高い。
これに対し、本実施例１の制御弁装置１では、エンジン始動後、所定時間Ｔ内は、供給通路53a,53b間の油通路を開いた状態とすることで、ＶＴＣ側の油圧の上昇を緩やかにし、その後、空気を多く含まなくなったオイルを、上記油通路を絞ることでＶＴＣの作動油室に優先的に供給する。
したがって、油圧アクチュエータとして、油圧により作動するロック機構を備えたＶＴＣを採用した場合でも、上記ロックの誤解除を抑制可能である。
【００６９】
なお、各潤滑部の潤滑をより確実に行ってからＶＴＣを作動させるという観点から、また、上記ロック誤解除をより確実に抑制するという観点からは、油圧Ｐ１を油圧Ｐ０よりも大きい値に設定することが好ましい。
一方、Ｐ１をＰ０よりも小さい値に設定してもよい。この場合、ロックが比較的早期に解除されるため、エンジン始動後のＶＴＣの応答性を向上するという観点から有利である。この場合、上記ロック誤解除もある程度抑制できる。すなわち、エンジンの潤滑部側には隙間が多く存在するため、供給通路53a,53b間の油通路を開いた状態で、供給通路53aからの空気を多く含んだオイルは、分岐通路５４よりも供給通路53bへ優先的に流れる。そして、分岐通路５４の油圧によりロックが解除される時点では、空気を含んだオイルはすでに多く供給通路53bへ供給された後であり、この時点で、ロック機構７へ供給されたオイル内の空気はある程度減少している。
Ｐ１をＰ０と同じ値に設定すれば、上記両方の効果をバランスさせることができる。
【００７０】
また、油圧により作動するロック機構の構成として、ＶＴＣの始動前から油圧がロック機構に供給される油路を有しない構成、例えば、ロック解除用の油路を、進角側または遅角側の１系統のみ有し、ＶＴＣの始動前には油圧が上記解除用油路を介してロック機構に供給されない構成を採用した場合であっても、ロック誤解除のおそれがある。
例えば、本実施例１のＶＴＣにおいて、遅角室Ｒ１と連通する連通孔７５が省略され、進角室Ａ１からロックピストン７４側に油圧を供給する連通溝７６のみが設けられたロック機構を想定する。この構成において、エンジン始動後、ＶＴＣの始動前から、空気を多く含むオイルが遅角室Ｒ１に供給されると、このオイル内の空気は膨張して、（連通孔７５が省略された）ベーン６１とフロントプレート８及びリアプレート９との間のＸ軸方向隙間を通って、ロックピストン７４のＸ軸方向端部（先端部及び基端部）に移動し、そこでロックピストン７４をＸ軸方向で押圧するおそれがある。ロックピストン７４の基端部側（Ｘ軸正方向側）では、この空気は空気抜き孔（径方向溝605等）を介して排出される。しかし、先端部（Ｘ軸負方向側）では空気が逃げる場所がなく、この空気はロックピストン７４の先端部（係合部714）に作用して、ロックピストン７１をＸ軸正方向側に押圧し、係合孔730から後退させるおそれがある。すなわち、ロックを解除してしまうおそれがある。
このように、ＶＴＣの始動前から油圧がロック機構に供給される油路を有しない構成を採用した場合でも、ロック誤解除のおそれがある。
これに対し、本実施例１の制御弁装置１を適用すれば、エンジン始動後の所定時間Ｔ内は供給通路53a,53b間の油通路を開いた状態とし、ポンプＰから吐出されるオイル内の空気が少なくなってからＶＴＣへ作動油を供給するため、上記ロック誤解除を抑制することができる。
なお、エンジンが始動された後にパイロット弁３へ信号Ａを出力する時間として、所定時間Ｕを用いてもよい。所定時間Ｕは、エンジンの始動後、ポンプＰから吐出されて分岐通路５４へ供給されるオイル内の空気（気泡）が十分に減少したかどうかを推定するためのパラメータである。
所定時間Ｕとしては、例えば事前に実験をして、エンジンの再始動後（例えばアイドル回転数で）、ある時間の経過後に、供給通路53a,53b間の油通路の開度を最大（位置Ａ）から最小（位置Ｂ）とし、このとき供給通路53aから供給されるオイルによる分岐通路５４の油圧が（ＶＴＣのロック機構７のロックが解除されるべき）設定値Ｐ１に達する以前に、ロック機構７のロックが解除されるか否かを確認し、解除されなくなる最短の上記時間を用いることができる。
上記推定をより正確なものとするために、実際の油温に応じて所定時間Ｕを補正することが好ましい。
所定時間Ｔの代わりに所定時間Ｕを用いた場合、上記ロックの誤解除をより確実に抑制可能である。また、オイル内に含まれる空気が十分に減少するだけ時間Ｕが経過した時点では、エンジンの各潤滑部に対しても潤滑に必要な流量がある程度供給されたと判断できる。このため、所定時間Ｕを用いても、各潤滑部の潤滑性を向上することが可能である。
【００７１】
（エンジン潤滑性及びＶＴＣ作動性の最適化）
本実施例１では、ＶＴＣの始動後、エンジン運転状態（エンジン負荷の大小やＶＴＣの作動状況）に応じて信号Ａと信号Ｂを切換え、スプール２０の位置（供給通路53a,53bの連通）を切換え制御する。このため、エンジンの潤滑性能とＶＴＣの作動性とを高レベルで最適に調整できる。
コントローラＣＵは、主にエンジン負荷が高く、エンジン潤滑に流量及び油圧が必要とされるとき、信号Ａを出力し、スプール２０を位置Ａに制御する。エンジン負荷の高低は、例えばエンジン回転数に基づき判断できる。位置Ａでは、供給通路53a,53b間の油通路を開き、絞らない。このため、供給通路53b（エンジンの潤滑部）へ大流量及び高油圧のオイルを供給することができ、エンジン負荷に応じた潤滑を円滑に実現できる。
なお、エンジン負荷が高い状態とは、エンジン回転数も高く、ポンプＰから供給通路53aへ供給される油圧も高い状態である。よって、上記油通路を開いても、分岐通路５４（ＶＴＣ）へは十分なオイル流量が供給される。
一方、ＶＴＣの迅速な作動（バルブタイミング変更の応答性）が要求される等、ＶＴＣ作動に油圧が必要なときは、信号Ｂを出力し、スプール２０を位置Ｂに制御する。位置Ｂでは、上記油通路が絞られるため、供給通路53bへの流量が制限され、その分だけ多量に、分岐通路５４（ＶＴＣ）へオイルが供給される。このため、ＶＴＣへ優先的に高油圧を供給することができる。
なお、上記油通路を絞っても、供給通路53b（エンジンの潤滑部）へは、スプール２０に設けた貫通孔227を通過してオイルが供給され、その流量は、エンジン潤滑に必要とされる分だけ十分な量が確保されている。
【００７２】
（エンジン停止前のスタンバイ制御）
本実施例１では、エンジン停止前に、スプール２０を位置Ａに制御しておく。よって、次回のエンジン始動時にスプール２０が最初から位置Ａ（流量大側）に位置している確率を高めることができる。
すなわち、供給通路53b（潤滑用通路）と略同軸Ｑにスプール弁２を設置する本実施例１の構成では、通常、スプール２０の移動方向（ｘ軸方向）は、地面と略水平に設定される。よって、特に車両が（坂道ではない）平坦な道に停車してエンジンを停止した場合は、エンジン停止直前に位置Ａに制御されたスプール２０は、次回のエンジン始動時にも位置Ａに留まっている可能性が高い。
このように、エンジン始動直前には極力位置Ａに位置するようスタンバイ制御することで、エンジン始動後にポンプ吐出圧によりスプール２０を位置Ａに移動させる場合に比べ、エンジン始動後、より速やかに供給通路53b（エンジンの潤滑部）へオイルを供給して、エンジン始動時における潤滑性能を向上できる。
言い換えると、所定時間Ｔ（エンジン始動後に供給通路53a,53b間の油通路を開いた状態とする時間）の設定、すなわちＶＴＣへのオイル供給を抑制する時間を短縮することが可能であり、これによりエンジン始動時のＶＴＣの応答性を向上することが可能である。
さらに、エンジン始動後にポンプ吐出圧によりスプール２０を位置Ａに移動させる場合、スプール２０を位置Ａに移動させるための油圧を供給通路53aに発生させる必要がある。この油圧を発生させる間、エンジン始動直後の空気を多く含むオイルが、供給通路53aから分岐通路５４（ＶＴＣ）へ供給される可能性がある。これに対し、スプール２０を位置Ａにスタンバイさせておけば、上記可能性を低め、ＶＴＣのロック誤解除等を抑制する作用を向上することができる。
【００７３】
上記スタンバイ制御をより確実にするため、摺動部材をスプール２０とハウジング４との間に設置し、エンジン停止前に位置Ａに制御したスプール２０を上記摺動部材の摺動抵抗により位置Ａに保持することも考えられる（実施例４）。
これに対し、本実施例１では、このような摺動部材を省略しているため、部品点数の増加を抑制することができる。また、上記摺動抵抗に打ち勝ってスプール２０を移動させるための追加的な油圧力が不要となり、スプール２０の第１、第２受圧面の面積差（Ｄ２−Ｄ１）を可能な限り小さく（必要最小限に抑制）することができる。よって、スプール２０を小径化して、制御弁装置１の小型化を図ることが可能である。
また、上記スタンバイ制御を省略し、スプール２０を位置Ａに付勢する付勢手段（ばね等の付勢部材）を設置することで、各エンジン始動時にスプール２０を位置Ａに位置させることも考えられる（実施例３）。
これに対し、本実施例１では、このような付勢部材を省略しているため、部品点数の増加を抑制することができる。また、上記付勢手段の付勢力に打ち勝ってスプール２０を移動させるための追加的な油圧力が不要となり、上記と同様に、制御弁装置１の小型化を図ることが可能である。
【００７４】
（油圧センサの省略）
エンジンの始動後、供給通路53bの油圧が所定圧Ｐ０以上となったかどうかを推定するためのパラメータとして、予め設定された所定時間Ｔを用いるため、供給通路53bに油圧センサ等の油圧検出手段を別途設けた場合（実施例２）と比べ、部品点数を削減してコストを低減できる。
さらに、所定時間Ｔをより適切な値にするために油温を検出する際、既存の油温センサや水温センサを用いるため、追加の部品を必要としない。
【００７５】
（電気制御としたことの効果）
制御弁装置１は、電気信号によって制御される。すなわち、信号Ａ，Ｂが（パイロット弁３へ）入力されることで、必要に応じて弁の開閉（弁体の位置）が制御される。
これに対し、所定油圧が作用すると自動的に開閉する弁の構成、例えば、スプールの軸方向一端をばね等により付勢するとともに、スプールの軸方向他端にはフィードバック圧（下流側の油圧）を作用させることで、エンジン始動初期の供給通路の低圧時にはスプール弁を開弁し、供給通路の圧力が上昇した後はスプール弁を閉弁するといった構成も考えられる。しかし、この構成では、下流側（潤滑部側）と上流側（ＶＴＣ側）のオイル供給量を任意に変更できず、制御性が悪い。一方、本実施例１の制御弁装置１は、エンジン始動時その他の各場面で、供給通路53a,53b間の油通路の連通状態（各潤滑部及びＶＴＣへのオイル供給量）を最適に制御することが可能である。
なお、本実施例１では、制御弁装置１を、（位置Ａと位置Ｂの切換のみを行う）２位置制御のオン・オフ弁としたため、供給通路53a,53b間の油通路の開度を連続的に可変制御する構成とした場合に比べ、装置を簡素化・小型化し、制御構成を簡略化できる。
【００７６】
（供給通路の一方をスプールの側面に接続し、他方を軸方向端に接続したことの効果）
制御弁装置１は、スプール２０の（ｘ軸方向）移動状態によって、供給通路53bの流量が絞られる。具体的には、スプール２０のｘ軸方向移動によって、貫通孔421〜424と貫通孔223〜226との間でオイルの流れが絞られる。そして、貫通孔421〜424には、供給通路５３の上流側（供給通路53a）が連通している。貫通孔223〜226が設けられた通路部２２の内周側は、ｘ軸負方向側で開口して、供給通路５３の下流側（供給通路53b）に連通している。このように、本実施例１では、スプール弁２へのオイルの入口と出口のうち、スプール２０の摺動面の側に一方（上流側の供給通路53aの端部）を設け、スプール２０の軸方向端に他方（下流側の供給通路53bの端部）を設けている。
これに対し、スプールの摺動面の側にオイルの入口と出口の両方、すなわち上記両端部を設け、スプールの移動によりこれらの連通を切換える（流路面積を調節する）構成とした場合、通常、上記両端部はスプールの軸方向でずらして設けられることになる。よって、スプール弁の軸方向の全長が長くなってしまう。一方、スプールの同じ軸方向端にオイルの入口と出口の両方、すなわち上記両端部を設ける構成とした場合（例えばスプールを回転させることでこれらの連通を切換える場合）、スプール弁の径方向寸法が大きくなってしまう。
本実施例１では、スプール弁２へのオイルの入口と出口のうち、スプール２０の摺動面の側に一方（供給通路53aの端部）を設け、スプール２０の軸方向端に他方（供給通路53bの端部）を設けている。よって、スプール弁２の径方向寸法と軸方向長さの両方を縮小し、装置１をコンパクト化することが可能となっている。
また、本実施例１の供給通路５３のように、上流側（供給通路53a）が延びる方向（ｙ軸方向）と下流側（供給通路53b）が延びる方向（ｘ軸方向）とが異なり、これらが略直角に交差する場合でも、どちらか一方の方向に沿ってスプール２０を移動可能に設置することで、これらの間で流路の切換え（絞り）を行うことができる構成となっている。
この場合、環状溝561を設けることで、一方（供給通路53a）から他方（供給通路53b）へのオイルの流通を円滑化している。
【００７７】
（受圧面積差を設けることの効果）
一般にスプール弁は、弁体（スプール）の動作に対する流体の圧力の影響が他の種類の弁に比べて少なく、比較的小さな力で弁体（スプール）を動作させることができるため、高圧回路の切換え（流量の調整）に適している。
しかし、本実施例１の上記構成では、弁体（スプール２０）の軸方向端にオイルの圧力が作用するため、例えば、スプール２０をソレノイドの電磁力により直接作動させる場合は大きな電力が必要になり、装置（ソレノイド）が大型化するおそれがある。
よって、本実施例１では、パイロット弁３を用いて、スプール２０の第２受圧面に油圧（供給通路53aの圧力）を作用させることで、スプール２０を作動させる。よって、ソレノイドの電磁力によりスプール２０を直接作動させる場合と比べ、装置を大型化せずに、本実施例１の油圧システムにおける高圧回路の切換え、すなわち分岐部530より下流（供給通路53b）の流量の調整を行うことが容易である。
また、スプール２０の第１、第２受圧面に面積差（Ｄ２−Ｄ１）を設け、この受圧面積差によりスプール２０を作動させる構成とすることで、供給通路53aと供給通路53bが略直角に交差する部位にスプール２０を応答性良く作動可能に設置しつつ、スプール２０の小型化を図ることができる。
すなわち、第１、第２受圧面の面積を同じとしつつ、スプール２０の軸方向両端に作用する油圧力の差によりスプール２０を移動させるためには、軸方向両端で油圧の大きさを異ならせる必要がある。一方、上記交差部位にスプール２０を設置した場合、スプール２０の軸方向一端（第１受圧面）には、エンジン作動中は常に、供給通路５３の一端（下流の供給通路53b）の油圧が作用することになる。よって、例えばスプール２０を上記軸方向一端の側に移動させるためには、軸方向他端（第２受圧面）に作用させる油圧を、上記軸方向一端（第１受圧面）に作用する（下流の供給通路53bの）油圧よりも増加させる必要がある。この場合、軸方向他端（第２受圧面）に作用させる油圧を供給通路５３の他端（上流の供給通路53a）の油圧としつつ、上記軸方向一端（第１受圧面）に作用させる供給通路５３の一端（下流の供給通路53bの）の油圧を、絞りや圧力制御弁等によって、供給通路５３の他端（上流の供給通路53a）の油圧よりも低下させることが考えられる。しかし、この場合、圧力損失が生じる。
よって、圧力損失を生じさせずにスプール２０を移動可能にしようとした場合、第１、第２受圧面に面積差を設ける必要がある。
また、第１、第２受圧面の面積を同じとしつつ、ばね等の付勢手段を設置することにより、スプール２０の軸方向両端に作用する力に差を設けることも考えられる。
しかし、スプール２０の軸方向他端（第２受圧面）に作用させる油圧を付勢するように付勢手段を設けた場合、供給通路５３の油圧がほとんど発生しないエンジン始動直後には、付勢手段の付勢力により、スプール２０は、供給通路53a ,53b間の油通路を絞る位置Ｂにある。この位置Ｂから位置Ａにスプール２０を移動させるためには、供給通路５３に、付勢手段の付勢力を上回る油圧が発生するまで待つ必要がある。しかし、これでは、エンジン始動時にまず供給通路53a ,53b間の油通路を開いて潤滑性能を向上するという制御弁装置１の目的に反するおそれがある。また、付勢手段の付勢力に抗してスプール２０を油圧により移動させることになるため、スプール２０を応答性良く作動することができないおそれもある。このように、付勢手段を設置した場合、スプール２０が作動可能な油圧の範囲が狭くなり、スプール２０の作動応答性を向上できない。
一方、スプール２０の軸方向一端（第１受圧面）に作用する油圧を付勢するように付勢手段を設けた場合、エンジン始動時に供給通路53a ,53b間の油通路を開いておくことは可能であるが、上記油通路を絞るためには、上記油圧力に付勢手段の付勢力を加えた力を上回る油圧力を軸方向他端（第２受圧面）に発生させる必要がある。よって、この場合、受圧面積差が必要になる。
これに対し、本実施例１では、ばね等の付勢手段を設けず、スプール２０に受圧面積差（Ｄ２−Ｄ１）を設け、油圧力Ｆ１，Ｆ２の差のみによりスプール２０を作動させる。
よって、供給通路５３に、付勢手段の付勢力を上回る油圧が発生するまで待つ必要がなく、低油圧時から（すなわちスプール２０の軸方向両端に作用する油圧が低くても）スプール２０を移動させる力を発生することができ、スプール２０が作動可能な油圧の範囲が広い。また、付勢手段の付勢力に抗してスプール２０を移動させる必要もないため、スプール２０を応答良く作動することができる。したがって、エンジン始動後早期に供給通路53a ,53b間の油通路の連通を応答よく切り換え、流量を制御することが可能である。
さらに、別途付勢力を必要としない分、部品点数を削減できる。また、スプール２０の受圧面には油圧以外に付勢力が作用しておらず、その油圧は両受圧面ともに略同じであるため、受圧面の面積差が小さくてもスプールを作動させることができ、これにより、スプール２０の（径方向）小型化が可能である。
なお、スプール２０の軸方向両端には供給通路５３（供給通路53a ,53b）の油圧をそのまま作用させているため、無用な圧力損失もない。
特に、供給通路５３（下流の供給通路53b）の油圧が常に作用するスプール２０の軸方向一端（第１受圧面）とは反対側の軸方向他端（第２受圧面）に、下流（出口側）の供給通路53bのオイルではなく、上流（入口側）の供給通路53aのオイルが選択的に導かれるように構成している。このため、下流（出口側）の供給通路53bのオイルを導いた場合と比べ、軸方向他端（第２受圧面）に導かれる圧力の損失が少なく、この圧力と、軸方向一端（第１受圧面）に導かれる圧力との差が小さくなる。これにより、スプール２０の軸方向両端に作用する油圧力の差、すなわちスプール２０を作動する力を極力大きくすることができ、スプール２０の作動応答性を向上できる。
【００７８】
（上流側を側面に接続し、下流側を軸方向端に接続したことの効果）
本実施例１では、供給通路５３の下流側（供給通路53b）が延びる方向（ｘ軸方向）に沿ってスプール２０を移動可能に設置している。言い換えると、スプール２０の摺動面の側にオイルの入口、すなわち上流側の供給通路53aの端部を配置し、スプール２０の軸方向端に出口、すなわち下流側の供給通路53bの端部を配置している。
よって、入口（供給通路53a）からスプール弁２に供給されるオイルの流れは、スプール２０の移動方向に対して略直角の方向となり、スプール２０の移動方向ではない（スプール２０の軸方向端面にぶつかってから流れの方向を変えるのではない）。このため、動圧（流速によって生じる圧力）がスプール２０の作動に及ぼす影響を少なくすることができ、特にオイルの流速が高いときに、意図しないスプール２０の動き（ｘ軸方向移動）を抑制できる。したがって、スプール弁の作動を安定化し、より正確な流量制御が可能である。
さらに、環状溝561を設けたことで、供給通路53aからスプール弁２に供給されるオイルは、まず環状溝561内を流通することによりその圧力がより均一化されるため、上記効果を向上できる。
また、スプール２０の軸方向一端（第１受圧面）の側ではなく摺動面の側にオイルの入口、すなわち上流側の供給通路53aの端部（導入部）を配置しているため、この供給通路53aの端部と、スプール２０の軸方向他端（第２受圧面）との距離が近くなる。よって、上流（入口側）の供給通路53aのオイルが上記軸方向他端（第２受圧面）に選択的に導かれるように構成する際、これらを接続する油通路の構成を簡素化できる。具体的には、供給通路53aとパイロット弁３内の油通路（径方向油路443）とを接続する油通路を余計に設ける必要がなく、エンジンブロックＥＢのシール設置部562がこのような油通路として機能している。よって、加工コストを削減できるとともに、装置１を簡素化することが可能である。
【００７９】
（パイロット弁の配置による効果）
パイロット弁３の軸をｘ軸方向に、例えばスプール弁２と同軸Ｑ上に設けた場合、パイロット弁３がエンジンブロックＥＢの面100からｘ軸正方向側に突出し、装置１のレイアウト性が悪化するおそれがある。またこの場合、供給通路５３とスプール２０の軸方向他端（第２受圧面）とを連通するパイロット弁３内の油通路（軸方向通路301）と、上記供給通路５３との間の距離が長くなり、両者を接続する油通路を別途（例えばハウジング４の内部に）設ける必要がある。
これに対して、本実施例１では、パイロット弁３の軸を、エンジンブロックＥＢの面100に沿ってｙ軸方向に設けたため、面100からの装置１の突出を抑制し、レイアウト性を向上できる。また、パイロット弁３の軸をエンジンブロックＥＢの側へ近づけたため、軸方向通路301と（エンジンブロックＥＢ内部の）供給通路５３（具体的には供給通路53a並びにこれに接続する環状溝561及びシール設置部562）との間の距離を短縮できる。よって、これらを接続する油通路の構成を簡素化できる。具体的には、両者を接続する油通路として、ハウジング４（パイロット弁収容部４ｃ）内に、径方向油路443を設けるだけで足りる。よって、加工コストを削減できるとともに、装置１を簡素化・小型化することが可能である。
【００８０】
（ユニット化による効果）
制御弁装置１は、ハウジング４とスプール２０とパイロット弁３がユニット化された状態でエンジンブロックＥＢに取り付けられている。よって、これらの部品を個々に取り付けた場合に比べ、取付作業性を向上できる。
【００８１】
（両側支持による効果）
本実施例１では、スプール２０が、ｘ軸方向いずれの位置にあるときでも、ハウジング４によって、貫通孔421〜424の両側（ｘ軸正方向側及びｘ軸負方向側）で支持される構成としている。すなわち、スプール２０は、貫通孔421〜424のｘ軸正方向側では摺動孔４０（大径孔40a及び小径孔40b）の内周により支持され、貫通孔421〜424のｘ軸負方向側では摺動孔４０（小径孔40b）の内周により支持される。
よって、スプール２０の軸がその移動軸Ｑ（ハウジング４）に対して傾くことが抑制される。
例えば、スプール２０が、ｘ軸方向いずれかの位置で、貫通孔421〜424のｘ軸方向片側で支持される構成とした場合（実施例５）と比べ、スプール２０の先端が貫通孔421〜424の内部に向かう方向（径方向）に傾くことを抑制でき、これによりスプール２０の作動（ｘ軸方向移動）を円滑化できる。
【００８２】
（絞りの構成による効果）
本実施例１では、貫通孔227をスプール２０に設け、このスプール２０に固定された貫通孔227により、供給通路53bへの油通路の絞り（オリフィス相当）を構成する。
よって、相対移動する異なる部材の位置関係（隙間）により上記絞りを構成した場合、例えばスプール２０がｘ軸負方向側に位置したときに形成される、スプール２０（のｘ軸負方向端）とハウジング４（貫通孔421〜424の内周面）との間の隙間を上記絞りとして使用した場合（実施例５）と比べ、上記異なる部材（ハウジング４とスプール２０）のそれぞれを高精度に製作する必要がなく、貫通孔227の孔径（オリフィス径）のみを高精度に製作すれば、高精度な流路面積（開口面積）を実現することができる。このため、適切な絞りを設けるための加工コストや製造誤差によるバラツキを大幅に低減できる。言い換えると、供給通路53bへの流量をより正確に制限して、エンジン始動時、分岐通路５４（ＶＴＣ）へオイルを優先的に流したり、潤滑部へ必要な流量を供給したりすることを、意図通りに行うことが可能である。
また、上記絞りをスプール２０に設けているため、エンジンブロックＥＢの側に上記絞りを設けた場合、例えば、環状溝561とハウジング固定部560（供給通路53b）とを連通する小径の連通孔を形成し、これを上記絞りとして使用した場合（実施例６）と比べ、部品点数の増加を抑制できる。例えば、エンジンブロックＥＢの外周面への上記連通孔の開口（加工捨て孔）を塞ぐためにボールを圧入する等の追加的な部材や工程が不要になる。また、絞りの流路を比較的短くできるため、流路表面の摩擦抵抗の影響を小さくし、オイルの種類や温度の変化によりオイル粘度が変化した際でも、通過流量の変化を容易に抑制可能である。
【００８３】
なお、絞りをスプール２０に設ける代わりに、ハウジング４に設けることとしてもよい。例えば、本実施例１において、スプール２の第２溝222及び貫通孔227を省略し、代わりに、ハウジング４（通路部４２）において、貫通孔421〜424のｘ軸負方向側に隣接して、ハウジング４の外周側で環状溝561と連通し、ハウジング４の内周側で（ｘ軸負方向側に最大変位した）スプール２０の第１溝221と連通するような径方向貫通孔を設ければ、これを絞りとして使用することが可能である。
この場合も、ハウジング４に設ける上記径方向貫通孔の孔径のみを高精度に製作すればよく、ハウジング４（貫通孔421〜424）とスプール２０のそれぞれを高精度で製作する必要がない。また、エンジンブロックＥＢの側に連通孔を設ける必要もない。よって本実施例１と同様の効果を得ることができる。
【００８４】
（ストッパ部の構成による効果）
ハウジング４（通路部４２）のｘ軸負方向側の開口（貫通孔420）が摺動孔４０（小径孔40b）よりも小径に設けられることで底部425が形成され、これによりスプール２０の第２ストッパ部が構成されている。よって、別途ストッパ構造を設けることが不要となり、部品点数を削減するとともに装置１を小型化することが可能となっている。
【００８５】
（凹部及び径方向溝による効果）
本実施例１では、スプール２０の背圧部２１に、中空部分である凹部210が設けられている。
よって、スプール２０を軽量化し、その慣性質量を減らして、スプール２０の作動性、すなわち位置Ａと位置Ｂの切換の応答性を向上できる。これは、スプール２０を移動させるための力、すなわちスプール２０の第１、第２受圧面の面積差（Ｄ２−Ｄ１）を可能な限り小さくすることにつながるため、スプール弁２（制御弁装置１）の小型化を図ることができる。
また、凹部210により形成される空間（第２圧力室）内に、ばね等の弾性部材を設置することが可能となる。例えば凹部210に引張りばねを設置し、ハウジング4に対してスプール２０をｘ軸正方向側に常時付勢することとすれば、圧縮ばねを第１圧力室に設置した場合（実施例３）と同様の効果を得ることができる。
また、スプール２０のｘ軸正方向端が窪みを有しない平面状（平坦）である場合、位置Ａで第１圧力室（供給通路５３）の油圧によりスプール２０がｘ軸正方向側に付勢されると、スプール２０とネジプラグ413が面同士で密着し、両者間に隙間がなくなる。この場合、パイロット弁３からスプール２０のｘ軸正方向端を介して第２受圧面（第２圧力室）にオイルが供給されづらくなってしまう。
これに対し、本実施例１では凹部210を設けたことで、上記面同士での密着を抑制し、フランジ部211とネジプラグ413との接合部へのオイル供給時に、フランジ部211がネジプラグ413から離間することを容易にしている。これにより、パイロット弁３から位置Ａにあるスプール２０のｘ軸正方向端へオイルが供給される際、オイルが凹部210内に導入されて第２受圧面全体に作用しやすくなる（第２受圧面が面で受圧し易くなる）。よって、スプール２０をより速やかにｘ軸負方向側へ移動させることが可能となる。
なお、位置Ａにあるスプール２０の第２圧力室へオイルが供給される際、軸方向通路442からのオイルは、まず摺動孔４０（大径孔40a）の内周の環状溝411へ供給される。よって、凹部210へはスプール２０の全周からオイルが供給されることとなり、オイルは第２圧力室に円滑に導入され、スプール２０が位置Ａからｘ軸負方向側へ移動する際の応答性を向上するのに役立つ。
また、スプール２０（フランジ部211）のｘ軸正方向側端面には、径方向溝214が設けられている。スプール２０が位置Ａにあるとき、環状溝411からのオイルは径方向溝214を介して凹部210へ供給される。よって、第２受圧面（第２圧力室）へのオイル供給がより円滑となり、凹部210を設けたことによる上記効果を向上できる。
なお、環状溝411により、スプール２０の回転によって径方向溝214の回転方向位置が任意でも、径方向溝214を介して凹部210へオイルを供給できる。
なお、径方向溝214の数は複数でもよく、その形状も特に限定しない。
また、径方向溝214の代わりに、環状溝411と凹部210を連通する溝を、ネジプラグ413の側に設けてもよい。
また、環状溝411と凹部210を連通する構成として、溝の代わりに、フランジ部211またはネジプラグ413に凸部を設け、これにより、位置Ａでフランジ部211とネジプラグ413が当接する際に、両者間に隙間を設けることとしてもよい。
【００８６】
［実施例１の効果］
以下、本実施例１の制御弁装置１による効果を列挙する。なお、各構成に符合Ａ等を適宜付す。
（１）制御弁装置１は、
（Ａ）内燃機関（エンジン）の各潤滑部にオイルを供給する主通路（供給通路５３）と、主通路から分岐して油圧アクチュエータ（ＶＴＣ）にオイルを供給する分岐通路５４を備えた油圧システムにおいて、
（Ｂ１）主通路における分岐通路５４の分岐部530より下流（供給通路53b）の流量を調整する制御弁装置であって、
（Ｃ１）内燃機関の停止状態から少なくとも主通路全体にオイルが流れるまでの間は、
（Ｄ１）主通路における分岐通路５４の分岐部530より下流（供給通路53b）の流量が、流量可変範囲における流量大側に制御され、
（Ｅ１）主通路全体にオイルが流れた後は、
（Ｆ１）主通路における分岐部530より下流（供給通路53b）の流量が、流量可変範囲における流量小側に制御される。
よって、特に（Ｃ１）（Ｄ１）により、内燃機関の停止状態から主通路全体にオイルが流れるまでの間、分岐部530より下流（供給通路53b）にオイルが優先的に流されるため、各潤滑部に潤滑用のオイルが供給されるまでの時間を短縮し、内燃機関の潤滑性を向上できる。
また、特に（Ｅ１）（Ｆ１）により、主通路全体にオイルが流れた後は、分岐通路５４にオイルが優先的に流される。ここで、油圧アクチュエータ（ＶＴＣ）は分岐通路５４の油圧によって作動するため、油圧アクチュエータに作動用のオイルが供給されるまでの時間を短縮し、油圧アクチュエータの作動性（始動性）を向上できる。
また、主通路全体にオイルが流れた後であれば、分岐通路５４に供給されるオイル内の空気は十分に減少していると判断できる。よって、特に（Ｃ１）（Ｄ１）（Ｅ１）（Ｆ１）により、油圧アクチュエータに供給される作動油内に含まれる空気量を低減し、油圧アクチュエータの作動を安定化してその始動性を向上できる。
【００８７】
（２）（Ａ）の油圧システムにおける（Ｂ１）の制御弁装置であって、
（Ｃ２）内燃機関の停止状態から内燃機関が始動され、主通路（供給通路53b）のオイルが所定圧Ｐ０以上となるまでは、
（Ｄ１）のように流量を調整し、
（Ｅ２）主通路（供給通路53b）のオイルが所定圧Ｐ０以上になると、
（Ｆ１）のように流量を調整する。
すなわち、主通路（供給通路53b）のオイルが所定圧Ｐ０以上になれば、内燃機関の各潤滑部に対して潤滑に必要な流量が最低限供給されたと判断できるため、上記（１）と同様、内燃機関の潤滑性及び油圧アクチュエータの作動性（始動性）をともに向上することが可能である。
また、主通路（供給通路53b）のオイルが所定圧Ｐ０以上になれば、分岐通路５４に供給されるオイル内の空気が十分に減少したと判断できるため、上記（１）と同様、油圧アクチュエータの作動性（始動性）を安定化できる。
【００８８】
（３）（Ａ）の油圧システムにおける（Ｂ１）の制御弁装置であって、
（Ｃ３）内燃機関の停止状態から内燃機関の始動後の所定時間Ｔは、
（Ｄ１）のように流量を調整し、
（Ｅ３）内燃機関の始動後の所定時間Ｔを超えると、
（Ｆ１）のように流量を調整する。
すなわち、内燃機関の始動後、主通路（供給通路53b）の流量を大きく制御した状態で、所定時間Ｔが経過すれば、内燃機関の各潤滑部に対して潤滑に必要な流量が最低限供給されたと判断でき、また、分岐通路５４に供給されるオイル内の空気が十分に減少したと判断できる。このため、上記（２）と同様の効果を得ることができる。
なお、所定時間Ｔの代わりに所定時間Ｕを用いてもよい。
【００８９】
（４）（Ｃ１）ないし（Ｃ３）のいずれかの条件下では、
（Ｄ２）主通路における分岐部530より下流（供給通路53b）の流量が、最大流量となるように制御される。
よって、内燃機関の始動時における潤滑性をより向上できる。
また、油圧アクチュエータに供給される作動油内に含まれる空気量をより低減し、油圧アクチュエータの作動をより安定化できる。
【００９０】
（５）（Ｅ１）ないし（Ｅ３）のいずれかの条件下では、
（Ｆ２）主通路における分岐部530より下流（供給通路53b）の流量が、最小流量となるように制御される。
よって、内燃機関の始動時における油圧アクチュエータの作動性（始動性）をより向上できる。
【００９１】
（６）上記（１）〜（５）のいずれかの制御弁装置であって、
（Ｆ１）又は（Ｆ２）のように流量を調整した後、
主通路における分岐部530より下流（供給通路53b）の流量が、内燃機関の運転状態に応じて、流量可変範囲における流量大側又は流量側に制御される。
よって、機関始動後、各潤滑部及び油圧アクチュエータ（ＶＴＣ）のそれぞれの要求に応じて、オイル供給量を最適に制御することができる。
【００９２】
（７）主通路（供給通路53b）のオイルが所定圧Ｐ０以上かどうかは、内燃機関の始動後、所定時間Ｔ経過したか否かによって推定される。
よって、上記（３）と同様の効果を得ることができる。
【００９３】
（８）内燃機関始動時の温度を検出する温度検出手段（油温センサまたは水温センサ）からの情報に基づいて主通路（供給通路53b）のオイル圧を推定する判断時間Ｔを変化させる。
よって、上記（７）における推定の精度を向上し、上記（３）の効果を向上できる。
【００９４】
（９）温度検出手段で検出された温度が低温である場合には、高温である場合に比べて、主通路のオイル圧を推定する判断時間Ｔを長くする。
このように、各潤滑部へのオイル供給速度に対するオイルの粘性の影響を考慮して、判断時間Ｔを変化させることで、上記（８）の効果を得ることができる。
【００９５】
（１０）上記（Ａ）の油圧システムにおいて、
（Ｂ２）分岐通路５４の流量を調整する制御弁装置であって、
（Ｃ１）ないし（Ｃ３）のいずれかの条件下では、
（Ｄ３）分岐通路５４の流量が、流量可変範囲における流量小側に制御され、
（Ｅ１）ないし（Ｅ３）のいずれかの条件下では、
（Ｆ３）分岐通路５４の流量が、流量可変範囲における流量大側に制御される。
すなわち、主通路における分岐通路５４の分岐部530より下流（供給通路53b）の流量を調整することは、分岐通路５４の流量を調整することと同義である。供給通路53bの流量が流量大側に制御されれば、分岐通路５４の流量が流量小側に制御され、逆も同様である。よって、上記（１）〜（３）と同様の効果を得ることができる。
【００９６】
（１１）主通路（供給通路５３）は、内燃機関（エンジン）によって駆動されるオイルポンプＰから吐出されるオイルを内燃機関の各潤滑部に供給する。
よって、内燃機関の始動後はオイルポンプＰから吐出される流量は限定されているところ、主通路全体にオイルが流れるまでの間は、この限定された流量を各潤滑部の側に優先的に供給するため、内燃機関の潤滑性を向上できる。
また、主通路全体にオイルが流れた後は、上記限定された流量を油圧アクチュエータの側に優先的に供給するため、油圧アクチュエータの始動性を向上できる。
また、オイルポンプＰの作動開始直後には、吐出されるオイル内に多くの空気が含まれるところ、上記（１）〜（３）の構成により、油圧アクチュエータの作動性を安定化できる。
【００９７】
（１２）油圧アクチュエータは、油圧式バルブタイミング制御装置ＶＴＣであり、分岐通路５４の油圧が所定以上（Ｐ１以上）となるまでバルブタイミングを保持するロック機構７を有する。
よって、このように油圧により作動するロック機構７を備えたＶＴＣを採用した場合でも、内燃機関始動時において、ロックの誤解除を抑制し、バルブタイミングを良好に保持可能である。したがって、機関始動性を向上する等の効果を得ることができる。
【００９８】
（１３）油圧式バルブタイミング制御装置ＶＴＣは、内燃機関の始動前（すなわちＶＴＣの始動前）からロック機構７に油圧が供給されるような油路（連通孔７５）が形成されている。
よって、内燃機関始動時にロック誤解除が生じやすい上記ＶＴＣにおいて、上記（１２）の効果を得ることができる。
【００９９】
（１４）制御弁装置１は、電気信号によって制御される。
よって、エンジン始動時その他の各場面で、各潤滑部及び油圧アクチュエータ（ＶＴＣ）へのオイル供給量を最適に制御することが可能である。
【０１００】
（１５）制御弁装置１は、スプール弁（スプール２０）を有し、スプール弁の（ｘ軸方向）移動状態によって、主通路における分岐部530より下流（供給通路53b）の流量が絞られる。
よって、スプール２０によって流量を制御することで、上記（Ａ）の油圧システムにおいて、主通路における分岐部530より下流（供給通路53b）の流量を円滑に調整することが可能である。
【０１０１】
（１６）スプール弁（スプール２０）は、電気信号によって制御されると共に、
内燃機関の停止時には、主通路における分岐部530より下流（供給通路53b）の流量が最大となるように制御される。
よって、次回の機関始動時に、主通路における分岐部530より下流（供給通路53b）の流量が、最初から最大となるように制御されることが可能なため、上記（１）の効果を向上することができる。
【０１０２】
（１７）スプール弁（スプール２０）は、内周に開口する開口部（貫通孔421〜424）が形成された摺動孔４０内を摺動自在に設けられると共に、移動方向一方側（ｘ軸負方向側）に開口し、移動方向他方側（ｘ軸正方向側）を閉塞する中空孔（通路部２２）と、中空孔（通路部２２）の内外周を貫通し、開口部（貫通孔421〜424）と連通可能な連通部（貫通孔223〜226）を有しており、
主通路５３の一端側（供給通路53a）が開口部（貫通孔421〜424）に連通し、主通路５３の他端側（供給通路53b）が中空孔（通路部２２）の（ｘ軸負方向側）開口端に連通していることによりスプール弁（スプール２０）の移動によって開口部（貫通孔421〜424）と連通部（貫通孔223〜226）との間でオイルの流れが絞られる。
よって、主通路５３の一端側（供給通路53a）が延びる方向（ｙ軸方向）と他端側（供給通路53b）が延びる方向（ｘ軸方向）とが異なり、これらが略直角に交差する場合でも、どちらか一方向に沿ってスプール弁（スプール２０）を移動可能に設置し、これらの間で流路の切換え（絞り）を行うことができる。
また、開口部（貫通孔421〜424）と連通部（貫通孔223〜226）との間でオイルの流れを絞るようにしたことで、スプール弁（スプール２０）の全移動領域で、摺動孔４０（ハウジング４）における開口部（貫通孔421〜424）の（ｘ軸方向）両側でスプール弁（スプール２０）を支持することが可能である。このため、スプール弁（スプール２０）がその移動軸Ｑ（ハウジング４）に対して傾くことを抑制でき、スプール弁（スプール２０）の作動（ｘ軸方向移動）を円滑化することが可能である。
【０１０３】
（１８）開口部（貫通孔421〜424）の外周には環状溝561が設けられており、環状溝561に主通路（供給通路53a）が連通している。
よって、摺動孔４０（ハウジング４）において開口部（貫通孔421〜424）を周方向に複数設けた場合でも、その外周を取り囲むように環状溝561を設けることで、主通路（供給通路53a）からのオイルを、複数の開口部（貫通孔421〜424）へ効率よく供給することが可能である。
【０１０４】
（１９）中空孔（通路部２２）の外周には連通部（貫通孔223〜226）が開口する環状溝（第１溝221）が設けられており、環状溝（第１溝221）は開口部（貫通孔421〜424）と連通可能に設けられている。
よって、スプール弁（スプール２０）の回転に関らず開口部（貫通孔421〜424）と連通部（貫通孔223〜226）を連通させることができるだけでなく、連通部（貫通孔223〜226）を複数設けることで、開口部（貫通孔421〜424）からのオイルを、主通路５３の他端側（供給通路53b）へ多量に効率よく供給することが可能である。
【０１０５】
（２０）主通路における分岐部530より下流（供給通路53b）の流量を最小流量に絞った場合には、開口部（貫通孔421〜424）と連通部（貫通孔223〜226）の連通状態が遮断され、代わりに中空孔（通路部２２）の内外周を貫通する固定オリフィス（貫通孔227）が開口部（貫通孔421〜424）に開口する。
このように、スプール弁（スプール２０）に固定されたオリフィス（貫通孔227）により絞りを構成することで、加工コストを低減しつつ、高性能な絞りを実現して、上記流量小側の制御を高精度にすることができる。
【０１０６】
（２１）スプール弁（スプール２０）は、中空孔（通路部２２）が開口する側（ｘ軸負方向側）の第１受圧面の受圧面積に対して、移動方向逆側（ｘ軸正方向側）の第２受圧面の受圧面積が大きく形成されており、
電磁弁（パイロット弁３）によって、第１受圧面のみに主通路（供給通路53b）の油圧が作用している状態と、第１受圧面および第２受圧面の両方に主通路（供給通路53a ,53b）の油圧が作用している状態とを切換える。
よって、スプール弁（スプール２０）の小型化を図りつつ、その応答性を向上することができる。
【実施例２】
【０１０７】
実施例２の制御弁装置１は、各潤滑部への供給通路の油圧が所定値Ｐ０以上となったか否かを、実施例１のように所定時間Ｔではなく、油圧検出手段により検出した油圧を用いて判断する。
すなわち、実施例２の制御弁装置１は、図１に破線で示すように、油圧検出手段として油圧センサＰＳが供給通路53bに設けられており、油圧センサＰＳは供給通路53bの油圧を検出して、その情報をコントローラＣＵへ出力する。コントローラＣＵは、油圧センサＰＳから入力された情報に基づき、供給通路53bの油圧が所定圧Ｐ０以上かどうかを判断する。
その他の構成は実施例１と同様である。
【０１０８】
（２２）主通路（供給通路53b）のオイルが所定圧Ｐ０以上かどうかは、主通路に設けられた油圧検出手段（油圧センサＰＳ）からの情報に基づいて判断される。
よって、主通路（供給通路53b）のオイルが所定圧Ｐ０以上かどうかを直接検出できるため、制御精度を簡便に向上できる。
【実施例３】
【０１０９】
実施例３の制御弁装置１は、供給通路53bの流量が最大となる方向（位置Ａ）に向かってスプール２０を付勢する付勢手段を有している。
図６は、実施例３の制御弁装置１の軸Ｑを通る部分断面を示す。
図６に示すように、第１圧力室に、付勢手段としてのコイルスプリング２４が設置されている。コイルスプリング２４のｘ軸正方向端は、スプール２０の隔壁部２３のｘ軸負方向端面に当接して設置され、コイルスプリング２４のｘ軸負方向端は、ハウジング４（通路部４２）の底部425のｘ軸正方向端面に当接して設置されている。コイルスプリング２４は圧縮ばねであり、圧縮状態で装着され、ハウジング４に対してスプール２０をｘ軸正方向側に常時付勢している。
コントローラＣＵは、エンジン停止前のスタンバイ制御を実行しない。
その他の構成は実施例１と同様である。
【０１１０】
よって、スプール２０の移動方向（ｘ軸方向）が地面に対して傾くようにスプール弁２が設置された場合や、車両が例えば坂道に停車してエンジンを停止した場合等でも、コイルスプリング２４の付勢力により、エンジン停止時、スプール２０が位置Ａ（流量大側）に移動するとともに、次回のエンジン始動時にも、スプール２０が最初から位置Ａに位置し、供給通路53a,53b間の油通路が最大限開いた状態になっている。したがって、制御弁装置１の取付のレイアウト自由度を向上しつつ、エンジン始動時に潤滑性能等をより確実に向上できる。
【０１１１】
この状態から、スプール２０を位置Ｂの側（流量小側）へ移動させるためには、コイルスプリング２４の荷重（ばね力Ｆｓ）と第１油圧力Ｆ１の合計よりも、第２油圧力Ｆ２を高くする必要がある（Ｆｓ＋Ｆ１＜Ｆ２）。
また、エンジン始動時、ポンプＰから供給されるオイルによる第１、第２圧力室の圧力、すなわち供給通路53a,53bの油圧が、最低値（Ｐｍｉｎ）であり、第１、第２油圧力Ｆ１，Ｆ２が最低であっても、上記条件（Ｆｓ＋Ｆ１＜Ｆ２）を満たす必要がある。
そこで、第１受圧面の面積Ｄ１と第２受圧面の面積Ｄ２（ないし受圧面積差）を、条件（Ｆｓ＋Ｐｍｉｎ×Ｄ１＜Ｐｍｉｎ×Ｄ２）を満たすように調整している。これにより、エンジンの最低油圧Ｐｍｉｎでもスプール弁２が作動することを可能にしている。
また、（エンジン始動時に空気が混じったオイルが供給通路５３に供給された状態で）エンジン振動の入力を受けると、スプール２０が暴れて異音が発生するおそれがあるため、スプリング２４の荷重Ｆｓ（少なくとも初期セット荷重）は、上記異音が発生しない程度の大きさに設定することが好ましい。
なお、付勢手段として、実施例３のものに限定されない。例えば、第２圧力室（ネジプラグ413と隔壁部２３の間）に引張りばねを設置し、ハウジング４に対してスプール２０をｘ軸正方向側に常時付勢することとしてもよい。コイルスプリングではなく、他の種類のばねや弾性部材を用いることも可能である。
【０１１２】
（２３）スプール弁（スプール２０）は、主通路５３における分岐部530より下流（供給通路53b）の流量が最大となる方向（ｘ軸正方向）に付勢されている。
よって、簡便な構成により、取付自由度を向上しつつ、エンジン始動時に潤滑性能等をより確実に向上できるとともに、振動に対する異音の発生を抑制することが可能である。
【実施例４】
【０１１３】
実施例４の制御弁装置１は、スプール２０がエンジン停止時の状態を維持するように構成されている。
図７は、実施例４の制御弁装置１の軸Ｑを通る部分断面を示す。
図７に示すように、スプール２０の摺動部としてのフランジ部211は、そのｘ軸方向寸法が実施例１よりも大きく設けられており、その肉厚を利用して、フランジ部211の外周には環状溝212が設けられている。環状溝212には、シール部材としてのシールリングＳ５が設置されている。
シールリングＳ５は、断面略円形の弾性リングである。シールリングＳ５の内径側は環状溝212の底面と接し、外径側は大径孔40aの内周面に接しており、シールリングＳ５は両面間で径方向に押し潰された状態で設置されている。
その他の構成は実施例１と同様である。
【０１１４】
スタンバイ制御により、エンジン停止前に、スプール２０は位置Ａに制御される。エンジン停止中、シールリングＳ５と大径孔40aの内周面との間の摩擦力（シールリングＳ５の反発力による摺動抵抗）により、スプール２０は位置Ａに保持される。言い換えると、スプール２０は、摺動部（大径孔40aの内周面）との抵抗、具体的には摺動部（フランジ部211）に設けられたシールリングＳ５の、摺動部（大径孔40aの内周面）に対する抵抗によって停止位置を維持する。
よって、次回のエンジン始動時にスプール２０は最初から位置Ａ（流量大側）に位置している。したがって、実施例３と同様、制御弁装置１の取付のレイアウト自由度を向上しつつ、エンジン始動時に潤滑性能等をより確実に向上できる。
第２圧力室にオイルが供給されてスプール２０がｘ軸負方向に移動するに伴い、シールリングＳ５は大径孔40aの内周面に接した状態で摺動する。よって、スプール２０のｘ軸正方向側の面に油圧が作用したときでも、シールリングＳ５により第２圧力室と空間βとの間の液密性を保ち、孔412からのオイル漏れを抑制することができる。
また、スプール２０を位置Ａ，Ｂに保持しているとき、エンジン振動に対して、シールリングＳ５の摺動抵抗によりスプール２０のｘ軸方向移動を抑制し、異音の発生を抑制することが可能である。
なお、エンジンの最低油圧Ｐｍｉｎでもスプール弁２が作動することを可能にするよう、第１、第２受圧面の面積Ｄ１，Ｄ２が調整されている。
【０１１５】
（２４）スプール弁（スプール２０）は、電気信号によって制御されると共に、内燃機関が停止した際に該停止時の状態を維持するように構成され、
内燃機関の停止時または始動時には、主通路における分岐部530より下流（供給通路53b）の流量が最大となるようにスプール弁（スプール２０）が制御されている。
よって、内燃機関が停止する際には、主通路における分岐部530より下流（供給通路53b）の流量が最大となるようにスプール弁（スプール２０）が制御され、この停止時の状態が維持される。したがって、次回の機関始動時に、最初から上記流量が最大になるように制御することが可能なため、上記（１）の効果を向上することができる。
【０１１６】
（２５）スプール弁（スプール２０）は、摺動部（大径孔40aの内周面）との抵抗によって停止位置を維持する。
このように、付勢手段によるのではなく、摺動抵抗により停止位置を維持する構成であるため、スプール弁（スプール２０）を位置Ｂの側（流量小側）へ移動させるための油圧力（第２油圧力Ｆ２）をそれほど高くする必要が少なく、これによりスプール弁（スプール２０）の大径化を抑制することが可能である。
なお、上記抵抗を生じさせる構成として、シールリングＳ５を設けるのではなく、他の種類の摺動部材を用いてもよいし、この摺動部材をスプール側の摺動部に設置するのではなく、ハウジング側の摺動部に設置してもよい。
また、抵抗を生じさせる摺動部としては、スプールのフランジ部211ないし大径孔40aの内周面に限らず、他の部位（通路部）でもよい。
また、摺動部材として別部材を設けるのではなく、フランジ部211の外周面ないし摺動孔４０の内周面を、摺動抵抗が大きくなるように加工することとしてもよい。
【０１１７】
（２６）スプール弁（スプール２０）は、摺動部（フランジ部211）に設けられた弾性リング（シールリングＳ５）の抵抗によって停止位置を維持する。
このように弾性リング（シールリングＳ５）を用いることで、スプール弁（スプール２０）の背圧室（第２圧力室）をシールし、スプール弁（スプール２０）が円滑に作動するための呼吸孔（孔412）からオイルが漏れることを抑制することができる。
【０１１８】
（２７）スプール弁（スプール２０）は、磁気抵抗によって停止位置を維持することとしてもよい。
すなわち、停止位置を維持する手段として、摺動抵抗によるものに限らず、磁気抵抗を利用することとしてもよい。例えばネジプラグ413を着磁しておき、スプール２０を磁性材料にする等により、スプール２０をｘ軸正方向側へ引き付ける磁力を発生することができる。位置Ａでは、この磁気抵抗によってスプール２０のｘ軸負方向側への移動を抑制し、これによりエンジン停止状態では位置Ａを維持することが可能である。この場合、上記（２４）（２５）と同様の効果が得られるだけでなく、環状溝212やシールリングＳ５を設けることが不要になる。
【実施例５】
【０１１９】
実施例５の制御弁装置１は、供給通路53bへの油通路の絞りを、スプール２０に設けた貫通孔により構成するのではなく、スプール２０とハウジング４との間の隙間により構成する。
図８は、実施例５の制御弁装置１の軸Ｑを通る部分断面を示し、スプール２０がｘ軸負方向側に最大変位した状態を示す。
図８に示すように、スプール２０は、実施例１のような通路部２２を有しておらず、隔壁部２３を底部とする有底円筒状であって、そのｘ軸方向寸法は実施例１よりも小さく設けられている。スプール２０に貫通孔223〜227等は設けられていない。
スプール２０には、フランジ部211のｘ軸負方向端面からｘ軸負方向に所定長さで伸びる突起部213が設けられている。突起部213は円環形状であり、その外周面の直径はフランジ部211よりも僅かに小さく、かつ摺動孔４０の小径孔40bよりも若干大きく設けられており、突起部213はスプール２０の本体部分に対して段差部を形成している。
スプール２０のｘ軸負方向側の移動は、突起部213のｘ軸負方向端がハウジング４の通路部４２のｘ軸正方向端面に当接することで規制される。これにより第２ストッパ部が構成され、図８に示す位置Ｂが実現される。
なお、突起部213がフランジ部211よりも小径に設けられているため、位置Ｂにおいても、突起部213の外周面と摺動孔４０（大径孔40a）の内周面との間には隙間が形成される。よって、大径孔40aへの貫通孔412の開口が塞がれず、スプール２０の円滑な移動が可能となっている。
ｘ軸正方向側の移動規制位置Ａにおいて、スプール２０（底部２３）のｘ軸負方向端面は、貫通孔421〜424と重なる位置、具体的には貫通孔421〜424のｘ軸正方向側半分における所定位置にある。これにより、貫通孔421〜424の開度は最大となり、環状溝561（供給通路53a）と通路部４２の内周側（供給通路53b）とを連通する油通路の流路面積は最大となっている。
スプール２０が位置Ａから位置Ｂへ（ｘ軸負方向へ）移動するにつれて、スプール２０によって塞がれていない部分の貫通孔421〜424の開口面積は、徐々に小さくなる。
位置Ｂにおいて、スプール２０（底部２３）のｘ軸負方向端面は、貫通孔421〜424と重なる位置、具体的には貫通孔421〜424のｘ軸負方向端から僅かにｘ軸正方向側の位置にある。これにより、貫通孔421〜424の開度（開口面積）は最小となり、環状溝561（供給通路53a）と通路部４２の内周側（供給通路53b）とを連通する油通路の流路面積は最小となっている。
このように、スプール２０がｘ軸負方向側の移動規制位置Ｂにあるときに形成されるハウジング４（貫通孔421〜424の内周面）とスプール２０（のｘ軸負方向端）との間の隙間を、上記油通路の絞り（オリフィス）として使用する。
その他の構成は実施例１と同様である。
【０１２０】
本実施例５では、位置Ａにおいて、環状溝561から貫通孔421〜424及び貫通孔223〜226を介して通路部４２の内周側（供給通路53b）へオイルを供給する実施例１の構成とは異なり、通路部４２の内周側へは、貫通孔421〜424を介して直接オイルが供給される。よって、環状溝561から通路部２２の内周に向かうオイルの流路面積を実施例１よりも大きくすることが容易である。したがって、制御弁装置１を通過するオイルの圧力損失を抑制しやすく、これによりエンジン始動後、より速く潤滑部へオイルを供給することが可能である。
【実施例６】
【０１２１】
実施例６の制御弁装置１は、供給通路53a,53b間の油通路の絞り（オリフィス）を、エンジンブロックＥＢの側に設けた小径孔により構成している。
図９は、実施例６の制御弁装置１の軸Ｑを通る部分断面を示し、スプール２０がｘ軸負方向側に最大変位した状態を示す。
図９に示すように、スプール２０は、実施例５と同様の形状に設けられている。実施例５と異なり、スプール２０のｘ軸方向寸法が若干大きく設けられており、スプール２０がｘ軸負方向側に最大変位して位置Ｂにあるとき、スプール２０の外周面がハウジング４の貫通孔421〜424の全範囲を塞ぐようになっている。
なお、実施例１と同様の貫通孔223〜226を有するスプール２０において第２溝222及び貫通孔227を省略したものを利用してもよい。
エンジンブロックＥＢの内部には、環状溝561とハウジング固定部560とを直接連通する連通孔として、孔563,564が形成されている。孔563,564の直径は、実施例１の貫通孔227と同様、小さく設けられている。
孔563は、ｘ軸方向に延びる略直線状に形成され、ｘ軸負方向側で環状溝561の内周側に開口するとともに、ｘ軸正方向側で所定深さまで設けられている。
孔564は、ｙ軸方向に延びる略直線状に形成され、ｙ軸正方向側でエンジンブロックＥＢの外周面に開口するとともに、ｙ軸負方向側でハウジング固定部560（ハウジング４の通路部が嵌挿されていない部位）の内周面に開口している。孔564のｙ軸正方向側の開口（加工捨て孔）は、ボールＢ２の圧入により塞がれている。
孔563,564は互いに交差するように接続され、これにより、環状溝561とハウジング固定部560が孔563,564を介して連通している。
その他の構成は実施例１と同様である。
【０１２２】
本実施例６では、スプール２０の位置に関らず、孔563,564を介して、供給通路53a,53bが常に連通している。
図９の位置Ｂにおいては、環状溝561（供給通路53a）から供給通路53bへのオイル供給通路として、貫通孔421〜424を介しての供給は遮断されており、小径の孔563,564を介してのみオイルが供給されるため、供給通路53bへ油通路が絞られる。
よって、実施例５と同様の効果を得ることができるほか、相対移動する異なる部材の位置関係（隙間）により上記絞りを構成した場合（実施例５）と比べ、孔563,564の孔径のみを高精度に製作すれば、高精度な絞りを実現することができる。よって、実施例１と同様、加工コストを低減しつつ、エンジン始動後の流量制御をより正確にすることが可能である。
【０１２３】
［他の実施例］
以上、本発明を実現するための形態を、実施例１〜６に基づいて説明してきたが、本発明の具体的な構成は実施例１〜６に限定されるものではなく、発明の要旨を逸脱しない範囲の設計変更等があっても、本発明に含まれる。
【０１２４】
例えば、実施例１〜６では、流量を調整する弁として、スプール弁を利用することとしたが、これに限らず、他の適当な弁、例えば弁体を回転させ、その回転位置を制御することで流路（流量）を切り替える回転弁や、その他、ニードル弁やスライド弁を利用することとしてもよい。
【０１２５】
実施例１〜６の制御弁装置１は、主通路（供給通路５３）における分岐部530より下流の流量（言い換えると各潤滑部への流量と油圧アクチュエータへの流量）を調整するために、主通路における分岐部530より下流（供給通路53b）に制御弁装置１を設置したが、制御弁装置１を分岐部530に設置したり、分岐通路５４に設置したりすることで、上記流量を調整することとしてもよい。
例えば、実施例１〜６の構成において、
通路５４の下流に各潤滑部を接続することで「通路53a→通路５４」を主通路とし、
通路53bの下流にＶＴＣを接続することで通路53bを分岐通路とし、
制御弁装置１は、スプール弁２０の開度を絞ることで分岐通路（通路53b）の流量を小側に制御し、スプール弁２０の開度を大きくすることで分岐通路（通路53b）の流量を大側に制御することとしてもよい。
本実施例１のように分岐部530より下流の主通路（供給通路53b）に制御弁装置１を設置した場合、潤滑部（供給通路53b）へのオイル供給を、潤滑が最も必要とされるエンジン始動時に増大し、他の場面では必要最小限とすることができるため、オイルポンプから吐出されるオイルが無駄に排出されることを抑制でき、効率がよい。また、潤滑部（供給通路53b）へのオイル供給を必要最小限に絞ることで、オイルポンプから供給されるオイルを油圧アクチュエータへ最大限配分することが可能である。よって、油圧アクチュエータの応答性を効果的に向上することができる。
また、分岐部530に設置する場合に比べ、三方向弁等の複雑な弁により流量を配分する必要がなく、また設計自由度が大きいという利点を有する。
【０１２６】
実施例１〜６ではパイロット弁の制御油圧によりスプールを移動させることとしたが、ソレノイドの電磁力によりスプールを移動させる、いわゆる直動式の弁を用いてもよい。この場合、制御油圧によりスプールを移動させるよりも、応答性を向上できる等の利点がある。
【０１２７】
実施例１〜６の弁は２位置を切換えるオン・オフ弁であることとしたが、例えばパイロット弁により背圧室（第２圧力室）へ供給するオイル量を制御することで、弁開度を連続的に可変とする可変制御弁であることとしてもよい。例えば、パイロット弁に出力するオン・オフ信号を所定のデューティ比で切り換えることとしてもよい。なお、この場合、パイロット弁の開度（アーマチュア３３の位置）をソレノイド３４により直接制御する場合よりも、ソレノイド３４の大型化を招かないため、有利である。
【符号の説明】
【０１２８】
１  制御弁装置
５３  供給通路（主通路）
５３０  分岐部
５４  分岐通路
ＶＴＣ  バルブタイミング制御装置（油圧アクチュエータ）
【図１】
2011132815.tif 000003
【図２】
2011132815.tif 000004
【図３】
2011132815.tif 000005
【図４】
2011132815.tif 000006
【図５】
2011132815.tif 000007
【図６】
2011132815.tif 000008
【図７】
2011132815.tif 000009
【図８】
2011132815.tif 000010
【図９】
2011132815.tif 000011